(57)【要約】【課題】種々の撮影姿勢にかかわらず、撮影者Ｐがビデオカメラ本体を支持し易いシューティング方式のビデオカメラを提供する。【解決手段】カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、それぞれ個別に又は連動しながら、同軸上又は異軸上で回動できる構成となっており、かつ所望の回動位置でその回動姿勢を保持できるようになっている。【選択図】  図１
2004221894.tif 000002
【特許請求の範囲】
【請求項１】
本体把持部のグリップ方向が、レンズ部及びビューファインダ部を備えたカメラ部の撮影方向及びファインダ視認方向と交叉するように、前記本体把持部と前記カメラ部とが一体的に配置されたビデオカメラ本体を備えたビデオカメラであって、
前記ビデオカメラ本体には、
前記カメラ部のレンズ部を前記本体把持部のグリップ方向に沿った並行な面内で該本体把持部に対して回動させる第１の回動手段と、
前記カメラ部のビューファインダ部を、該第１の回動手段による前記カメラ部のレンズ部回動面に沿った並行な面内で前記本体把持部に対して回動させる第２の回動手段と
が備えられていることを特徴とするビデオカメラ。
【請求項２】
前記カメラ部は、撮影方向とファインダ視認方向とを反対向きにした状態で、前記レンズ部と前記ビューファインダ部とが撮影方向又はファインダ視認方向に沿って列置される
ことを特徴とする請求項１記載のビデオカメラ。
【請求項３】
前記ビューファインダ部は、前記カメラ部のハウジングから出没可能に構成されている
ことを特徴とする請求項１又は２記載のビデオカメラ。
【請求項４】
前記ビューファインダ部は、当該ビューファインダ部が前記カメラ部のハウジングに没している状態では、当該ビューファインダ部のファインダ視認窓は隠蔽されている
ことを特徴とする請求項３記載のビデオカメラ。
【請求項５】
前記第１の回動手段による前記レンズ部の回動中心と、前記第２の回動手段による前記ビューファインダ部の回動中心とが一致し、前記レンズ部及び前記ビューファインダ部が同軸上で回動する
ことを特徴とする請求項１から４いずれかに記載のビデオカメラ。
【請求項６】
前記第１の回動手段による前記レンズ部の回動中心と、前記第２の回動手段による前記ビューファインダ部の回動中心とが異なり、前記レンズ部及び前記ビューファインダ部が異軸上で回動する
ことを特徴とする請求項１から４いずれかに記載のビデオカメラ。
【請求項７】
本体把持部のグリップ方向が、レンズ部及びビューファインダ部を備えたカメラ部の撮影方向及びファインダ視認方向と交叉するように、前記本体把持部と前記カメラ部とが一体的に配置されたビデオカメラ本体を備えたビデオカメラであって、
前記ビデオカメラ本体には、
前記カメラ部のレンズ部を前記本体把持部のグリップ方向に沿った並行な面内で該本体把持部に対して回動させる第１の回動手段と、
前記カメラ部のビューファインダ部を、該第１の回動手段による前記カメラ部のレンズ部回動面に沿った並行な面内で前記本体把持部に対して回動させる第２の回動手段と、
前記第１の回動手段と第２の回動手段とを連動させる連動手段と
が備えられていることを特徴とするビデオカメラ。
【請求項８】
前記連動機構は、前記本体把持部に対して前記レンズ部と前記ビューファインダ部とを互いに逆方向に回動させることを特徴とする請求項７記載のビデオカメラ。
【請求項９】
同一又は並行な面内に、撮影方向、グリップ方向、ファインダ視認方向が配置され、当該同一又は並行な面の垂線方向から眺めて、グリップ方向が撮影方向及びファインダ視認方向に対して交叉し、かつ撮影方向とファインダ視認方向とがグリップ方向を挟んで逆向きに延びる構成のビデオカメラであって、
グリップ方向を撮影方向に対して回動させるグリップ方向回動手段と、
該グリップ方向回動手段により、撮影方向とグリップ方向との間の交叉角度を増加又は減少させるように、グリップ方向が撮影方向に対して回動する場合に、当該グリップ方向の回動によって減少又は増加するグリップ方向とファインダ視認方向の交叉角度を、当該グリップ方向の回動変化前の交叉角度に近付けるように、ファインダ視認方向をグリップ方向に対して回動させるファインダ視認方向回動手段と
を備えていることを特徴とするビデオカメラ。
【請求項１０】
同一又は並行な面内に、撮影方向、グリップ方向、ファインダ視認方向が配置され、当該同一又は並行な面の垂線方向から眺めて、グリップ方向が撮影方向及びファインダ視認方向に対して交叉し、かつ撮影方向とファインダ視認方向とがグリップ方向を挟んで逆向きに延びる構成のビデオカメラであって、
グリップ方向をファインダ視認方向に対して回動させるファインダ視認方向回動手段と、
該ファインダ視認方向回動手段により、ファインダ視認方向とグリップ方向との間の交叉角度を増加又は減少させるように、グリップ方向がファインダ視認方向に対して回動する場合に、当該グリップ方向の回動によって減少又は増加するグリップ方向と撮影方向の交叉角度を、当該グリップ方向の回動変化前の交叉角度に近付けるように、撮影方向をグリップ方向に対して回動させる撮影方向回動手段と
を備えていることを特徴とするビデオカメラ。
【発明の詳細な説明】
【０００１】
【発明の属する技術分野】
本発明は、ビデオカメラに係り、特に、レンズ部、ＶＴＲ（ビデオテープレコーダ）部、ビューファインダ部等が一体的に設けられたビデオカメラ本体を片手で支持しながら撮影操作を行う形式のビデオカメラに関する。
【０００２】
【従来の技術】
従来から、レンズ部、ＶＴＲ（ビデオテープレコーダ）部、ビューファインダ部等が一体的に設けられたビデオカメラ本体を備えたビデオカメラが知られている。
【０００３】
この種のビデオカメラの一形式として、片手でビデオカメラ本体を支持しながら、支持した側の手の指でスタート／ストップ、ズームイン／ズームアウト等といった撮影操作が行える、いわゆるシューティング方式のビデオカメラが知られている。
【０００４】
図２１は、従来のシューティング方式のビデオカメラの一例の構成図である。
このシューティング方式のビデオカメラ９０１は、ビデオカメラ本体９１０が、本体把持部９１１と、本体把持部９１１の上方に一体的に配置されたカメラ部９１２とから大略構成されている。
【０００５】
本体把持部９１１には、ＶＴＲ部として、撮影画像の記録用の記録媒体が収納される記録媒体収納部９２０、撮影画像確認用のモニタ部９３０、及びスタート／ストップスイッチ９４１，ズームイン／ズームアウトスイッチ９４２等の各種操作スイッチ等が配置されている。
【０００６】
カメラ部９１２は、一端がレンズ開口部９１３となり、他端がファインダ視認窓９１４となっている。このカメラ部９１２の一端側のレンズ開口部９１３側には、撮影レンズ９５１及びＣＣＤ撮像素子９５２等を有するレンズ部９５０が配置され、反対側のファインダ視認窓９１４側には、小型液晶表示素子９６１及び視認レンズ９６２を備えた撮影画像の確認用のビューファインダ部９６０が配置されている。
【０００７】
モニタ部９３０は、レンズ開口部９１３側の縁部９３０ａを基端側とし、ファインダ視認窓９１４側の縁部９３０ｂを揺動端側として、本体把持部９１１のその余の他部に対して揺動可能に構成されている。このモニタ部９３０の揺動操作により縁部９３０ｂが本体把持部９１１のその余の他部に近接／離間することによって、例えば液晶表示素子によって構成されたモニタ画面が本体把持部９１１から現われ、又は本体把持部９１１に隠れる構成となっている。なお、図２１において、符号９３０’で矢示した破線矩形部分は、モニタ画面が本体把持部９１１から現われている状態のモニタ部９３０を示したものである。
【０００８】
さらに、本従来例のビデオカメラ９０１では、ビューファインダ部９６０及びモニタ画面を出現させた状態のモニタ部９３０’それぞれが、その余のビデオカメラ本体９１０に対して回動する構成になっており、ビューファインダ部９６０及びモニタ部９３０それぞれの視認方向Ｍ，Ｆが調整可能になっている。
【０００９】
ビューファインダ部９６０は、小型液晶表示素子９６１が配置された側を基端とし、視認レンズ９６２が配置された側のファインダ視認窓９１４を回動端として、図２１中にｘ−ｘ方向で示すように、その余のカメラ部９１２及び本体把持部９１１に対して回動可能になっている。これにより、ファインダ視認窓９１４の視認方向Ｆが、レンズ開口部９１３の軸方向、すなわちレンズ部９５０の光軸方向である撮影方向Ｓに対して、調整できるようになっている。
【００１０】
モニタ部９３０は、モニタ画面が現われた状態（前述の符号９３０’で矢示した状態）で、本体把持部９１１のその余の他部及びカメラ部９１２に対して、図２１中にｙ−ｙ方向で示すように、モニタ部９３０自体が回動可能になっている。これにより、モニタ画面の視認方向Ｍも、ファインダ視認窓９１４の視認方向Ｆの場合と同様に、撮影方向Ｓに対して調整できるようになっている。
【００１１】
図２２は、図２１に示したビデオカメラの撮影時における撮影者によるグリップ状態の説明図である。
【００１２】
上記のように構成されたビデオカメラ９０１にあっては、図２２に示すように、撮影者Ｐは、ピストルのグリップを握る要領で、ビデオカメラ本体９１０の本体把持部９１１の周面をファインダ視認窓９１４側から順手で握って、ビデオカメラ本体９１０を支持する。
【００１３】
そして、撮影者Ｐは、レンズ開口部９１３を被写体と正対させ、ファインダ開口部９１４からビューファインダ部９６０を覗くことによって、又はモニタ部９３０を揺動させて現われたモニタ画面を覗くことによって、撮影画像を確認しながら、本体把持部９１１を握った手の指でスタート／ストップスイッチ９４１等を操作して、被写体の撮影を行う。
【００１４】
図２２中における符号Ｇで示した方向は、本体把持部９１１のカメラ部９１２からの延設方向に対応する本体把持部９１１のグリップ方向を示すものとする。
【００１５】
また、上記のように構成されたビデオカメラ９０１にあっては、撮影方向Ｓに対して、ビューファインダ部９６０のファインダ視認窓９１４の視認方向Ｆ、モニタ部９３０のモニタ画面の視認方向Ｍそれぞれが調整できることから、ビューファインダ部９６０又はモニタ部９３０をビデオカメラ本体９１０の他部に対して適宜回動させて位置決めすることにより、撮影者Ｐは種々の姿勢で撮影が行える。
【００１６】
図２３は、代表的な撮影姿勢の説明図である。
図２３（ａ）は、通常姿勢撮影を示したものである。
通常姿勢撮影では、ビューファインダ部９６０のファインダ視認窓９１４の視認方向Ｆ、モニタ部９３０のモニタ画面の視認方向Ｍの少なくとも何れかを撮影方向Ｓと反対向きに調整した上で、ビデオカメラ本体９１０を撮影者Ｐ自身の顔の高さ位置Ｈｍに支持して、視認方向が撮影方向Ｓと反対向きになっているファインダ視認窓９１４又はモニタ画面によって撮影画像を確認しながら、撮影が行われる。
【００１７】
図２３（ｂ）は、ハイアングルを撮影するための高姿勢撮影を示したものである。
高姿勢撮影では、モニタ部９３０のモニタ画面の視認方向Ｍを通常姿勢撮影の場合よりも下方に向けて調整した上で、ビデオカメラ本体９１０を撮影者Ｐ自身の顔の高さ位置Ｈｍよりも高い高さ位置Ｈｈに支持して、視認方向が下方に向いたモニタ画面によって撮影画像を確認しながら、撮影が行われる。
【００１８】
図２３（ｃ）は、ローアングルを撮影するための低姿勢撮影を示したものである。
低姿勢撮影では、ビューファインダ部９６０のファインダ視認窓９１４の視認方向Ｆ、モニタ部９３０のモニタ画面の視認方向Ｍの何れかを通常姿勢撮影の場合に対して上方に向けて調整した上で、ビデオカメラ本体９１０を撮影者Ｐ自身の顔の高さ位置Ｈｍよりも低い高さ位置Ｈｌに支持して、視認方向が上方に向いたファインダ視認窓９１４又はモニタ画面によって撮影画像を確認しながら、撮影が行われる。
【００１９】
このように、上述したシューティング方式のビデオカメラ９０１では、ビューファインダ部９６０のファインダ視認窓９１４の視認方向Ｆ、モニタ部９３０のモニタ画面の視認方向Ｍの何れかを、本体把持部９１１の記録媒体収納部９２０、ＶＴＲ部カメラ部９１２のレンズ部９５０といったビデオカメラ本体９１０の他部に対して回動調整して位置決めすることにより、上述した通常姿勢撮影、高姿勢撮影、低姿勢撮影といった具合に、様々な姿勢で撮影が行われる。
【００２０】
【特許文献１】
特開２００１−１１１８７７号公報
【００２１】
【発明が解決しようとする課題】
ところが、上述したシューティング方式のビデオカメラ９０１では、図２１、図２２に示すように、撮影者Ｐが把持する本体把持部９１１の上方に、レンズ開口部９１３が形成されてレンズ部９５０が収納されたカメラ部９１２の一端側が固定的に配置されている。そのため、図２２に示すように、カメラ部９１２のレンズ開口部９１３の向き、すなわち撮影方向Ｓと、撮影者Ｐが把持する本体把持部９１１の向き、すなわちグリップ方向Ｇとの角度は、撮影姿勢にかかわらず、一定角度ｑ１に保たれていることになる。
【００２２】
したがって、従来のシューティング方式のビデオカメラ９０１では、撮影方向Ｓが同じ方向で、通常姿勢撮影、高姿勢撮影、低姿勢撮影といった撮影姿勢が変化した場合、撮影方向Ｓに対する本体支持部９１１のグリップ方向Ｇが変わらないため、撮影者Ｐがビデオカメラ本体９０１を支持するための本体支持部９１１の把持状態は、撮影者Ｐ自身の肩、肘、手首等いった各部の姿勢の維持し易さ等の関係で、大いに異なってくる。
【００２３】
すなわち、仮に、図２３（ａ）に示した通常姿勢撮影の場合の本体支持部９１１の把持状態を基準とすれば、図２３（ｂ）に示した高姿勢撮影の場合は、通常姿勢撮影の場合よりもビデオカメラ本体９１０を支持する高さ位置が高くなる。そのため、高姿勢撮影の場合は、通常姿勢撮影に比べて、肘の高さ位置が高くなり、図２２に示す、グリップ方向Ｇと前腕が延びる方向Ａとがなす角度ｑ２も減少するため、本体支持部９１１を把持した手首の曲げ状態も、通常姿勢撮影の場合の手首状態よりも、親指側手首部分ｗ１が伸び、小指側手首部分ｗ２が屈した状態となり、窮屈になる。
【００２４】
また、反対に、図２３（ｃ）に示した低姿勢撮影の場合は、通常姿勢撮影に比べて、肘の高さ位置が低くなり、図２２に示す、グリップ方向Ｇと前腕が延びる方向Ａとがなす角度ｑ２は増大するため、本体支持部９１１を把持した手首の曲げ状態も、通常姿勢撮影の場合の手首状態よりも、親指側手首部分ｗ１が屈し、小指側手首部分ｗ２が伸びた状態となり、窮屈になる。
【００２５】
また、ビューファインダ部９６０のファインダ視認窓９１４の視認方向Ｆについても、本体把持部９１１の上方に、ファインダ視認窓９１４が形成されビューファインダ部９６０が設けられたカメラ部９１２を一体的に配置した構成のため、ビューファインダ部９６０及びファインダ視認窓９１４の視認方向Ｆを撮影方向Ｓに対して下方に向けるのが、本体把持部９１１が邪魔となって困難であった。
【００２６】
そのため、高姿勢撮影の場合は、撮影方向Ｓの高さ位置は、撮影者Ｐの目線高さ位置よりも高い高さ位置に保たれるので、ビューファインダ部９６０を利用した撮影は困難であった。
【００２７】
これにより、モニタ部９３０のモニタ画面を撮影映像の確認に利用できない状況では、ビューファインダ部９６０のファインダ視認窓９１４の視認方向Ｆが回動調整できても、高姿勢撮影において撮影映像の確認が行えなかった。
【００２８】
また、モニタ部９３０のモニタ画面を高姿勢撮影による撮影映像の確認に利用できる場合であっても、モニタ部９３０のモニタ画面は、ビューファインダ部９６０の小型液晶表示素子９６１の表示画面に比し大きいので、ビデオカメラ９０１のバッテリ消費がビューファインダ部９６０を利用する場合に比べて大きくなり、撮影時間の減少を招くという問題もあった。
【００２９】
本発明は、上述したこれらの問題点を解決するためになされたものであって、種々の撮影姿勢にかかわらず、撮影者Ｐがビデオカメラ本体を支持し易いシューティング方式のビデオカメラを提供することを第１の目的とする。
【００３０】
また、本発明は、高姿勢撮影の場合においてもビューファインダ部を利用して撮影映像の確認ができるシューティング方式のビデオカメラを提供することを第２の目的とする
【００３１】
【課題を解決するための手段】
上述した問題点を解決するために、本発明のビデオカメラは、本体把持部のグリップ方向が、レンズ部及びビューファインダ部を備えたカメラ部の撮影方向及びファインダ視認方向と交叉するように、前記本体把持部と前記カメラ部とが一体的に配置されたビデオカメラ本体を備えたビデオカメラであって、前記ビデオカメラ本体には、前記カメラ部のレンズ部を前記本体把持部のグリップ方向に沿った並行な面内で該本体把持部に対して回動させる第１の回動手段と、前記カメラ部のビューファインダ部を、該第１の回動手段による前記カメラ部のレンズ部回動面に沿った並行な面内で前記本体把持部に対して回動させる第２の回動手段とが備えられていることを特徴とする。
【００３２】
また、本発明のビデオカメラは、本体把持部のグリップ方向が、レンズ部及びビューファインダ部を備えたカメラ部の撮影方向及びファインダ視認方向と交叉するように、前記本体把持部と前記カメラ部とが一体的に配置されたビデオカメラ本体を備えたビデオカメラであって、前記ビデオカメラ本体には、前記カメラ部のレンズ部を前記本体把持部のグリップ方向に沿った並行な面内で該本体把持部に対して回動させる第１の回動手段と、前記カメラ部のビューファインダ部を、該第１の回動手段による前記カメラ部のレンズ部回動面に沿った並行な面内で前記本体把持部に対して回動させる第２の回動手段と、前記第１の回動手段と第２の回動手段とを連動させる連動手段とが備えられていることを特徴とする。
【００３３】
また、本発明のビデオカメラは、同一又は並行な面内に、撮影方向、グリップ方向、ファインダ視認方向が配置され、当該同一又は並行な面の垂線方向から眺めて、グリップ方向が撮影方向及びファインダ視認方向に対して交叉し、かつ撮影方向とファインダ視認方向とがグリップ方向を挟んで逆向きに延びる構成のビデオカメラであって、グリップ方向を撮影方向に対して回動させるグリップ方向回動手段と、該グリップ方向回動手段により、撮影方向とグリップ方向との間の交叉角度を増加又は減少させるように、グリップ方向が撮影方向に対して回動する場合に、当該グリップ方向の回動によって減少又は増加するグリップ方向とファインダ視認方向の交叉角度を、当該グリップ方向の回動変化前の交叉角度に近付けるように、ファインダ視認方向をグリップ方向に対して回動させるファインダ視認方向回動手段とを備えていることを特徴とする。
【００３４】
また、本発明のビデオカメラは、同一又は並行な面内に、撮影方向、グリップ方向、ファインダ視認方向が配置され、当該同一又は並行な面の垂線方向から眺めて、グリップ方向が撮影方向及びファインダ視認方向に対して交叉し、かつ撮影方向とファインダ視認方向とがグリップ方向を挟んで逆向きに延びる構成のビデオカメラであって、グリップ方向をファインダ視認方向に対して回動させるファインダ視認方向回動手段と、該ファインダ視認方向回動手段により、ファインダ視認方向とグリップ方向との間の交叉角度を増加又は減少させるように、グリップ方向がファインダ視認方向に対して回動する場合に、当該グリップ方向の回動によって減少又は増加するグリップ方向と撮影方向の交叉角度を、当該グリップ方向の回動変化前の交叉角度に近付けるように、撮影方向をグリップ方向に対して回動させる撮影方向回動手段とを備えていることを特徴とする。
【００３５】
これら本発明によれば、種々の撮影姿勢にかかわらず、撮影者Ｐがビデオカメラ本体を支持し易くなる。また、高姿勢撮影の場合においても、ビューファインダ部を利用して撮影映像の確認ができる。
【００３６】
【発明の実施の形態】
以下、添付図面を参照しながら本発明の好適な実施の形態について、その実施の形態毎に分けて詳細に説明する。
【００３７】
［第１の実施の形態］
第１の実施の形態のシューティング方式のビデオカメラの構成について図面とともに説明する。
【００３８】
図１は、第１の実施の形態のシューティング方式のビデオカメラのファインダ視認窓側から視た外観斜視図である。
【００３９】
本実施の形態のビデオカメラ１０１は、ビデオカメラ本体１０が、本体把持部１１と、本体把持部１１の上方に一体的に配置されたカメラ部１２とから大略構成されている。
【００４０】
本体把持部１１は、撮影画像の記録用の記録媒体が収納される記録媒体収納部２０、撮影画像確認用のモニタ部３０、及びスタート／ストップスイッチ４１，ズームイン／ズームアウトスイッチ４２（後述の図２参照）といった各種操作スイッチ等が配置されている直方体形状の握り部１１Ａと、この握り部１１Ａの上面から上方に延びる一対の支持枠部１１Ｂとから構成されている。
【００４１】
図２は、図１に示したビデオカメラから一方の支持枠部を取り除いて表したビデオカメラ本体の側面図である。
図２に示すように、支持枠部１１Ｂは、ビデオカメラ本体１０を側面から眺めて、一側の周縁部分１１Ｂａがテーパ状に形成され、他側の周縁部分１１Ｂｂが、この周縁部分１１Ｂａに連なった中心角が鈍角の円弧状に形成されている。
【００４２】
本体把持部１１の握り部１１Ａ上面、及び一対の支持枠部１１Ｂの相対向する壁面で形成される空間は、カメラ部収容空間１１Ｃを形成する。このカメラ部収容空間１１Ｃには、後述のカメラ部１２の他端側１２ｂが収容される。
【００４３】
図３は、図１に示したビデオカメラのカメラ部の横断面図である。
カメラ部１２は、図３に示すように、一側１２ａが端面にレンズ開口部１３が開口されたレンズ部収納部１２Ａとなり、他側１２ｂがビューファインダ部収納部１２Ｂとなっている。
【００４４】
ビューファインダ部収納部１２Ｂは、ビデオカメラ本体１０の側面から眺めて、図２に示すように、前述した本体把持部１１の一対の支持枠部１１Ｂにおける円弧状の周縁部分１１Ｂｂとほぼ同径の、中心角が鈍角の円弧状に形成され、カメラ部１２の他側１２ｂに円周端面１２Ｃを形成する。
【００４５】
この円周端面１２Ｃには、図１及び図３に示すように、その周方向に延びて視認窓移動孔１２Ｄが形成され、後述のビューファインダ部６０に備えられたファインダ視認窓１４が視認窓移動孔１２Ｄに沿って移動できる構成になっている。
【００４６】
このように構成されたカメラ部１２のレンズ部収納部１２Ａ内には、図３に示すように、レンズ開口部１３と同軸に、撮影レンズ５１及びＣＣＤ撮像素子５２等を有するレンズ部５０が収容されている。
【００４７】
また、カメラ部１２のビューファインダ部収納部１２Ｂ内には、小型液晶表示素子６１及び視認レンズ６２を備えた撮影画像の確認用のビューファインダ部６０が収容されている。
【００４８】
ビューファインダ部６０は、小型液晶表示素子６１及び視認レンズ６２の配置方向に関して、視認レンズ６２側が、前述した本体把持部１１の一対の支持枠部１１Ｂにおける円弧状の周縁部分１１Ｂｂ、及びカメラ部１２の他側１２ｂに構成された円周端面１２Ｃとほぼ同径の円周面６０Ａ（図１参照）となっている。小型液晶表示素子６１及び視認レンズ６２の配置方向軸線が交叉する円周面６０Ａ部分には、ファインダ視認窓１４が形成されている。このファインダ視認窓１４は、円周面６０Ａの、周方向に関してほぼ中間の位置に配置されている。
【００４９】
ここで、カメラ部１２の他端側１２ｂのビューファインダ部６０は、図３に示すように、カメラ部１２のビューファインダ部収納部１２Ｂとともに、本体把持部１１の一対の支持枠部１１Ｂに回動可能に取り付けられている。
【００５０】
本実施の形態の場合は、本体把持部１１の一対の支持枠部１１Ｂの対向壁部それぞれには、円弧状の周縁部分１１Ｂｂの円弧中心位置に対応させて、軸孔１１Ｄが設けられている。また、カメラ部１２のビューファインダ部収納部１２Ｂの両側側面には、円周端面１２Ｃの円弧中心位置に対応させて、軸孔１２Ｅがそれぞれ設けられている。さらに、ビューファインダ部６０の両側壁にも、円周面６０Ａの円弧中心位置に対応させて、軸孔６０Ｂがそれぞれ設けられている。
【００５１】
本体把持部１１の一対の支持枠部１１Ｂと、カメラ部１２のビューファインダ部収納部１２Ｂとは、それぞれ軸孔１１Ｄと軸孔１２Ｅとを相対向させた状態で両軸孔１１Ｄ、１２Ｅに挿通させて設けた軸部材１５により、それぞれ回動可能に装着されている。
【００５２】
各軸部材１５の支持枠部１１Ｂ内に位置する一端側には、止め輪等からなる抜け止め部材１６Ａが装着されて抜け止めされている。カメラ部１２のビューファインダ部収納部１２Ｂ内に位置する各軸部材１５の他端側は、止め輪等からなる押え部材１６Ｂを介して、ビューファインダ部６０の側壁の軸孔６０Ｂに挿通されている。ビューファインダ部６０内に位置する各軸部材１５の他端側には、止め輪等からなる押え／抜け止め部材１６Ｃが装着されて抜け止めされている。
【００５３】
これにより、ビューファインダ部６０は、軸部材１５それぞれにより、カメラ部１２のビューファインダ部収納部１２Ｂと同様に、本体把持部１１の一対の支持枠部１１Ｂに対して回動可能に取り付けられている。
【００５４】
さらに、抜け止め部材１６Ａと支持枠部１１Ｂの対向壁部の内側部分との間の軸部材１５部分には、パッキン、波型ワッシャ等の回動抵抗発生部材１７Ａが装着されて介在している。同様に、押え部材１６Ｂとカメラ部１２のビューファインダ部収納部１２Ｂの内側部分との間の軸部材１５部分、及び押え／抜け止め部材１６Ｃとビューファインダ部６０の内側部分との間の軸部材１５部分にも、同様な回動抵抗発生部材１７Ｂ，１７Ｃが装着されて介在している。
【００５５】
この構成より、本実施の形態のビデオカメラ１０１は、カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、それぞれ個別に同軸上（軸部材１５上）で回動できる構成となっており、かつ所望の回動位置でその回動姿勢を保持できるようになっている。
【００５６】
その際、回動抵抗発生部材１７Ａ及び回動抵抗発生部材１７Ｂによって規定される本体把持部１１に対するカメラ部１２のレンズ部収納部１２Ａ及びビューファインダ収納部１２Ｂの回動トルクは、回動抵抗発生部材１７Ａ及び回動抵抗発生部材１７Ｃによって規定される本体把持部１１に対するカメラ部１２のビューファインダ部６０の回動トルクよりも大きな値に設定されている。
【００５７】
以上のように構成された本実施の形態のビデオカメラ１０１の作用について、図４，図５とともに説明する。
【００５８】
図４は、図１に示したビデオカメラについて、図１に示した状態とは別の状態のファインダ視認窓側から視た状態の外観斜視図である。
図４に示すように、本実施の形態のビデオカメラ１０１によれば、撮影者Ｐは、ピストルのグリップを握る要領で、ビデオカメラ本体１０の本体把持部１１の握り部１１Ａ周面をファインダ視認窓１４側から順手で握って、ビデオカメラ本体１０を支持する。
【００５９】
そして、撮影者Ｐは、レンズ開口部１３を被写体と正対させ、例えばファインダ視認窓１４からビューファインダ部６０を覗くことによって、撮影画像を確認しながら、本体把持部１１の握り部１１Ａを握った手の指でスタート／ストップスイッチ４１等を操作して、被写体の撮影を行う。
【００６０】
その際、本体把持部１１、カメラ部１２のレンズ部収納部１２Ａ及びビューファインダ収納部１２Ｂ、カメラ部１２のビューファインダ部６０は、軸部材１５（図３参照）を中心に、相互に個別に回動できるように構成されているから、本体把持部１１の握り部１１Ａの延設方向で規定されるグリップ方向Ｇと、カメラ部１２のレンズ開口部１３の軸方向、すなわちレンズ部５０の光軸方向で規定される撮影方向Ｓと、ビューファインダ部６０のファインダ視認窓１４の開口方向で規定されるファインダ視認方向Ｆとを、同一平面内において相互に任意の角度関係に調整することができる。
【００６１】
図４は、図１に示した、撮影方向Ｓとファインダ視認方向Ｆとが反対向きで、撮影方向Ｓ及びファインダ視認方向Ｆに対してグリップ方向Ｇがほぼ直角に交叉する基準状態から、撮影方向Ｓとグリップ方向Ｇとの間の角度ｒ１を増大させるように、カメラ部１２のレンズ部収納部１２Ａ及びビューファインダ収納部１２Ｂに対して本体把持部１１の握り部１１Ａを回動調整し、この回動に伴い、ファインダ視認方向Ｆとグリップ方向Ｇとの間の角度ｒ２が減少してファインダ視認方向Ｆとグリップ方向Ｇとが近接するのを防ぐように、本体把持部１１の握り部１１Ａに対してカメラ部１２のビューファインダ部６０を回動調整した状態のビデオカメラ１０１を示したものである。
【００６２】
したがって、本実施の形態のビデオカメラ１０１によれば、図４に例示したように、グリップ方向Ｇと、撮影方向Ｓと、ファインダ視認方向Ｆとを、同一平面内において相互に任意の角度関係に調整することできるので、種々の撮影姿勢に対応させて、グリップ方向Ｇやファインダ視認方向Ｆを、撮影方向Ｓの関係で把持し易い方向に調整することができる。
【００６３】
さらに、本実施の形態のビデオカメラ１０１の場合は、本体把持部１１に対するカメラ部１２のレンズ部収納部１２Ａ及びビューファインダ収納部１２Ｂの回動トルクは、本体把持部１１に対するカメラ部１２のビューファインダ部６０の回動トルクよりも大きな値に設定されているから、撮影者Ｐが本体把持部１１の握り部１１Ａを把持しながら、カメラ部１２のレンズ部収納部１２Ａの向きを回動調整した後に、続いてビューファインダ部６０の向きを調整しても、このビューファインダ部６０の回動調整により、既に調整し終わっている本体把持部１１に対するカメラ部１２のレンズ部収納部１２Ａの向きが変化してしまうこともない。
【００６４】
そして、本体把持部１１に対して  カメラ部１２のレンズ部収納部１２Ａ及びビューファインダ部６０は軸部材１５を中心として同軸で回転するので、本体把持部１１の握り部１１Ａを把持しながら、カメラ部１２のレンズ部収納部１２Ａ及びビューファインダ収納部１２Ｂを回動調整する場合と、カメラ部１２のビューファインダ部６０を回動調整する場合とで、本体把持部１１の握り部１１Ａの把持感覚の違和感を少なくし、一体感をキープすることができる。
【００６５】
図５は、代表的な撮影姿勢を例にした撮影方向Ｓと、グリップ方向Ｇと、ファインダ視認方向Ｆとの回動調整関係の説明図である。
図５において、図５（ａ）は通常姿勢撮影の場合の各方向の回動調整関係を、図５（ｂ）は高姿勢撮影の場合の各方向の回動調整関係を、図５（ｃ）は低姿勢撮影の場合の各方向の回動調整関係をそれぞれ示す。
【００６６】
本実施の形態のビデオカメラ１０１によれば、グリップ方向Ｇと、撮影方向Ｓと、ファインダ視認方向Ｆとを、同一平面内において相互に任意の角度関係に調整することができるので、各撮影姿勢に合わせて、グリップ方向Ｇ、撮影方向Ｓ、ファインダ視認方向Ｆ相互の相対角度を、撮影者Ｐが操作し易いように任意に調整することができる。
【００６７】
例えば、通常姿勢で撮影する場合、すなわち撮影者Ｐがビデオカメラ本体１０を撮影者Ｐ自身の顔の高さ位置Ｈｍに支持して撮影対象を撮影する場合、本体把持部１１の握り部１１Ａを把持し易いように撮影方向Ｓに対してグリップ方向Ｇを調整し、ファインダ視認窓１４を覗き易いように撮影方向Ｓ又はグリップ方向Ｇに対してファインダ視認方向Ｆを調整する。このときの、調整した撮影方向Ｓに対するグリップ方向Ｇの角度ｒ１を角度ｒ１０とし、調整したファインダ視認方向Ｆのグリップ方向Ｇに対する角度ｒ２を角度ｒ２０とする。
【００６８】
例えば、撮影方向Ｓが水平方向の通常姿勢撮影の場合は、撮影方向Ｓとグリップ方向Ｇとのなす角度ｒ１０は略直角になり、ファインダ視認方向Ｆとグリップ方向Ｇとのなす角度ｒ２０も、ファインダ視認方向Ｆが撮影方向Ｓの反対向きになるため、略直角になる。
【００６９】
ここで、上記した通常姿勢撮影の場合における、撮影方向Ｓに対するグリップ方向Ｇの角度ｒ１０、グリップ方向Ｇに対するファインダ視認方向Ｆの角度ｒ２０をそれぞれ基準角度として、高姿勢撮影、低姿勢撮影それぞれについて説明する。
【００７０】
高姿勢撮影の場合は、撮影者Ｐは、ビデオカメラ本体１０を撮影者Ｐ自身の顔の高さ位置Ｈｍよりも高い高さ位置Ｈｈに支持して撮影対象を撮影する。
そのため、撮影者Ｐは、自身の顔の高さ位置Ｈｍよりも高い高さ位置Ｈｈで本体把持部１１の握り部１１Ａを把持し易いように、撮影方向Ｓに対してグリップ方向Ｇを調整する。
【００７１】
この場合、高さ位置Ｈｈが高さ位置Ｈｍより高くなるに応じて、グリップ方向Ｇを撮影方向Ｓ側に向けて水平方向に近付けた方が、グリップ方向Ｇと本体把持部１１の握り部１１Ａを把持する前腕が延びる方向との関係が直角に近くなり、親指側手首部分が伸び、小指側手首部分が屈した手首状態にならずに、前腕に対して手首が自然に伸びた状態になるので、撮影者Ｐは本体把持部１１の握り部１１Ａを把持し易くなる。
【００７２】
例えば、高姿勢撮影で、撮影方向Ｓが水平の場合は、撮影者Ｐは、撮影方向Ｓとグリップ方向Ｇとのなす角度ｒ１を、ビデオカメラ本体１０を支持する高さ位置Ｈｈに合わせて、前述した通常姿勢撮影の場合の基準角度ｒ１０よりも小さな角度ｒ１１にするように、本体把持部１１の握り部１１Ａを把持しながら、カメラ部１２のレンズ部収納部１２Ａを回動調整する。
【００７３】
これに伴い、本体把持部１１は、基準角度ｒ１０と角度ｒ１１との差分（＝ｒ１０−ｒ１１）だけ、正常姿勢撮影の場合に比べて高姿勢撮影の場合は、本体把持部１１のグリップ方向Ｇが撮影方向Ｓ側に傾くことになり、本体把持部１１の握り部１１Ａの先端側１１Ａａはその基端側１１Ａｂに対し、この差分に応じた距離だけ撮影方向Ｓ側、すなわち撮影者Ｐの前方側へ移動することになる。
【００７４】
したがって、撮影者Ｐは、グリップ方向Ｇが撮影方向Ｓ側に傾いたことによって、グリップ方向Ｇとファインダ視認方向Ｆとのなす角度ｒ２が正常姿勢の場合の基準角度ｒ２０よりも増加した角度状態（ｒ２０＋ｒ１０−ｒ１１）になっている、カメラ部１２のビューファインダ部６０の向きを角度減少方向に調整する。これにより、グリップ方向Ｇとファインダ視認方向Ｆとのなす角度ｒ２を、基準角度ｒ２０に近付ける、又は基準角度ｒ２０よりも小さな角度ｒ２１にすることができ、ビューファインダ部６０の向きを下方に向けることができる。
【００７５】
この結果、高姿勢撮影の場合でも、ビデオカメラ本体１０を支持する場合に本体把持部１１の把持が行い易く、ビューファインダ部６０を利用した撮影も可能になる。
【００７６】
低姿勢撮影の場合は、撮影者Ｐは、ビデオカメラ本体１０を撮影者Ｐ自身の顔の高さ位置Ｈｍよりも低い高さ位置Ｈｌに支持して撮影対象を撮影する。
そのため、撮影者Ｐは、自身の顔の高さ位置Ｈｍよりも低い高さ位置Ｈｌで本体把持部１１の握り部１１Ａを把持し易いように、撮影方向Ｓに対してグリップ方向Ｇを調整する。
【００７７】
この場合、高さ位置Ｈｌが高さ位置Ｈｍより低くなるのに応じて、グリップ方向Ｇをファインダ視認方向Ｆ側に向けて水平方向に近付けた方が、グリップ方向Ｇと本体把持部１１の握り部１１Ａを把持する前腕が延びる方向との関係が直角に近くなり、親指側手首部分が屈し、小指側手首部分が伸びた手首状態にならずに、前腕に対して手首が自然に伸びた状態になるので、撮影者Ｐは本体把持部１１の握り部１１Ａを把持し易くなる。
【００７８】
例えば、低姿勢撮影で、撮影方向Ｓが水平の場合は、撮影者Ｐは、撮影方向Ｓとグリップ方向Ｇとのなす角度ｒ１を、ビデオカメラ本体１０を支持する高さ位置Ｈｌに合わせて、前述した通常姿勢撮影の場合の基準角度ｒ１０よりも大きな角度ｒ１２にするように、本体把持部１１の握り部１１Ａを把持しながら、カメラ部１２のレンズ部収納部１２Ａを回動調整する。
【００７９】
これに伴い、本体把持部１１は、基準角度ｒ１０と角度ｒ１２との差分（＝ｒ１２−ｒ１０）だけ、正常姿勢撮影の場合に比べて低姿勢撮影の場合は、本体把持部１１のグリップ方向Ｇがファインダ視認方向Ｆ側に傾くことになり、本体把持部１１の握り部１１Ａの先端側１１Ａａはその基端側１１Ａｂに対し、この差分に応じた距離だけファインダ視認方向Ｆ側、すなわち撮影者Ｐ寄り側へ移動することになる。
【００８０】
したがって、撮影者Ｐは、グリップ方向Ｇがファインダ視認方向Ｆ側に傾いたことによって、グリップ方向Ｇとファインダ視認方向Ｆとのなす角度ｒ２が正常姿勢の場合の基準角度ｒ２０よりも減少した角度状態（ｒ２０−（ｒ１２−ｒ１０））になっている、カメラ部１２のビューファインダ部６０の向きを角度増加方向に調整する。これにより、グリップ方向Ｇとファインダ視認方向Ｆとのなす角度ｒ２を、基準角度ｒ２０に近付ける、又は基準角度ｒ２０よりも大きな角度ｒ２１にすることができ、ビューファインダ部６０の向きを上方に向けることができる。
【００８１】
なお、前述の図４に示したビデオカメラ１０１の、撮影方向Ｓ，グリップ方向Ｇ，ファインダ視認方向Ｆの各状態は、この低姿勢撮影の場合のビデオカメラ本体１０各部の状態を示している。
【００８２】
以上、本実施の形態のビデオカメラ１０１によれば、グリップ方向Ｇが撮影方向Ｓ及びファインダ視認方向Ｆと交叉するように、ビデオカメラ本体１０が、本体把持部１１と、本体把持部１１の上方に一体的に配置された、レンズ部５０及びビューファインダ部６０を備えたカメラ部１２とから大略構成されているビデオカメラ１０１にあって、撮影姿勢等の違いに合わせて、グリップ方向Ｇ、撮影方向Ｓ、ファインダ視認方向Ｆ相互の相対角度を、撮影者Ｐが操作し易いように任意に調整することができる。
【００８３】
［第２の実施の形態］
第２の実施の形態のシューティング方式のビデオカメラ２０１の構成について図面とともに説明する。
【００８４】
なお、その説明に当たっては、前述の第１の実施の形態のビデオカメラ１０１と同一構成、対応する構成部分については、符号として同一番号を付し、その説明は一部省略する。
【００８５】
図６は、第２の実施の形態のシューティング方式のビデオカメラのファインダ視認窓側から視た外観斜視図である。
【００８６】
本実施の形態のビデオカメラ２０１は、ビデオカメラ本体１０が、本体把持部１１と、本体把持部１１の上方に一体的に配置されたカメラ部１２とから大略構成されている。
【００８７】
本体把持部１１は、撮影画像の記録用の記録媒体が収納される記録媒体収納部２０、撮影画像確認用のモニタ部３０、及びスタート／ストップスイッチ４１，ズームイン／ズームアウトスイッチ４２といった各種操作スイッチ等が配置されている直方体形状の握り部１１Ａと、握り部１１Ａの上面から上方に延びる一対の支持枠部１１Ｂとから構成されている。
【００８８】
図７は、図６に示したビデオカメラから一方の支持枠部を取り除いて表したビデオカメラ本体の側面図である。
【００８９】
図８は、図６に示したビデオカメラのカメラ部のレンズ開口部を出現させた状態の横断面図である。
【００９０】
カメラ部１２は、図６及び図８に示すように、一側１２ａが端面にレンズ開口部１３が開口されたレンズ部収納部１２Ａとなり、他側１２ｂがビューファインダ部収納部１２Ｂとなっている。
【００９１】
ビューファインダ部収納部１２Ｂは、ビデオカメラ本体１０の側面から眺めて、図７に示すように、前述した本体把持部１１の一対の支持枠部１１Ｂにおける円弧状の周縁部分１１Ｂｂとほぼ同径の、中心角が鈍角の円弧状に形成され、カメラ部１２の他側１２ｂに円周端面１２Ｃを形成する。
【００９２】
この円周端面１２Ｃには、その周方向に延びて視認窓格納孔１２Ｄが形成され、後述のビューファインダ部６０に備えられたファインダ視認窓１４が視認窓格納孔１２Ｄから出没可能な構成になっている。
【００９３】
このように構成されたカメラ部１２のレンズ部収納部１２Ａ内には、図８に示すように、レンズ開口部１３と同軸に、撮影レンズ５１及びＣＣＤ撮像素子５２等を有するレンズ部５０が収容されている。
【００９４】
また、カメラ部１２のビューファインダ部収納部１２Ｂ内には、小型液晶表示素子６１及び視認レンズ６２を備えた撮影画像の確認用のビューファインダ部６０が格納されている。
【００９５】
ビューファインダ部６０は、小型液晶表示素子６１及び視認レンズ６２の配置方向に関して、図７に示すように、その長さがビューファインダ部収納部１２Ｂの円周端面１２Ｃ部分の直径よりも小さく、図８に示すように、小型液晶表示素子６１が配置された側の両側面に軸孔６０Ｂが形成され、視認レンズ６２が配置された側の端面には、ファインダ視認窓１４が形成されている。そして、図６に示すように、ビューファインダ部６０の両側面を接続するとともに、小型液晶表示素子６１及び視認レンズ６２の配置方向に沿って延びる上面は、本体把持部１１の一対の支持枠部１１Ｂにおける円弧状の周縁部分１１Ｂｂ、及びカメラ部１２の他側１２ｂに構成された円周端面１２Ｃとほぼ同径の円周面６０Ａとなっている。そして、ビューファインダ部６０は、その円周面６０Ａを、本体把持部１１の一対の支持枠部１１Ｂにおける円弧状の周縁部分１１Ｂｂ、及びカメラ部１２の他側１２ｂに構成された円周端面１２Ｃに沿わせて、ファインダ視認窓１４を外部から隠した状態で、ビューファインダ部収納部１２Ｂ内に格納される構成になっている。
【００９６】
そのために、図６に示すように、ビューファインダ部６０の円周面６０Ａを、本体把持部１１の一対の支持枠部１１Ｂにおける円弧状の周縁部分１１Ｂｂ、及びカメラ部１２の他側１２ｂに構成された円周端面１２Ｃに沿わせた配置状態で、ビューファインダ部６０の両側面の軸孔６０Ｂと相対向させて、ビューファインダ部収納部１２Ｂの側面には、軸孔１２Ｅ１（図８参照）がそれぞれ設けられている。
【００９７】
ビューファインダ部６０と、カメラ部１２のビューファインダ収納部１２Ｂとは、図８に示すように、それぞれ軸孔６０Ｂと軸孔１２Ｅ１とを相対向させた状態で両軸孔６０Ｂ、１２Ｅ１に挿通させて設けた軸部材１５Ａにより、それぞれ回動可能に装着されている。
【００９８】
本体把持部１１の一対の支持枠部１１Ｂとビューファインダ収納部１２Ｂとの間のカメラ部収容空間１１Ｃ内に位置する、各軸部材１５Ａの一端側には、止め輪等からなる抜け止め部材１６Ａ１が装着されて抜け止めされている。カメラ部１２のビューファインダ部収納部１２Ｂ内に位置する各軸部材１５Ａの他端側は、ブッシュ１８を介して、ビューファインダ部６０の側壁の軸孔６０Ｂに挿通されている。ビューファインダ部６０内に位置する各軸部材１５Ａの他端側には、パッキン、波型ワッシャ等の回動抵抗発生部材１７Ｃを介して、止め輪等からなる押え／抜け止め部材１６Ｃが装着されて抜け止めされている。
【００９９】
これにより、ビューファインダ部６０は、軸部材１５Ａそれぞれにより、カメラ部１２のビューファインダ部収納部１２Ｂに対して回動可能に取り付けられ、回動抵抗発生部材１７Ｃにより発生するビューファインダ部６０とカメラ部１２のビューファインダ部収納部１２Ｂとの間の回動摩擦力によって、カメラ部１２に対して所望の回動位置でその姿勢を保持できる構成になっている。
【０１００】
また、本体把持部１１の一対の支持枠部１１Ｂの対向壁部それぞれには、円弧状周縁部分１１Ｂｂの円弧中心位置に対応させて、軸孔１１Ｄが設けられている。同様に、カメラ部１２のビューファインダ部収納部１２Ｂの両側側面には、円周端面１２Ｃの円弧中心位置に対応させて、軸孔１２Ｅ２がそれぞれ設けられている。
【０１０１】
本体把持部１１の一対の支持枠部１１Ｂと、カメラ部１２のビューファインダ部収納部１２Ｂとは、それぞれ軸孔１１Ｄと軸孔１２Ｅ２とを相対向させた状態で両軸孔１１Ｄ、１２Ｅ２に挿通させて設けた軸部材１５Ｂにより、それぞれ回動可能に装着されている。
【０１０２】
各軸部材１５Ｂの支持枠部１１Ｂ内に位置する一端側には、止め輪等からなる抜け止め部材１６Ａ２が装着されて抜け止めされている。カメラ部１２のビューファインダ部収納部１２Ｂ内に位置する各軸部材１５Ｂの他端側は、止め輪等からなる押え／抜け止め部材１６Ｂが装着されて抜け止めされている。
【０１０３】
さらに、抜け止め部材１６Ａ２と支持枠部１１Ｂの対向壁１１Ｂの内側部分との間の軸部材１５部分には、パッキン、波型ワッシャ等の回動抵抗発生部材１７Ａが装着されて介在している。同様に、抜け止め部材１６Ｂとカメラ部１２のビューファインダ部収納部１２Ｂの内側部分との間の軸部材１５部分にも、同様な回動抵抗発生部材１７Ｂが装着されて介在している。
【０１０４】
これにより、カメラ部１２のレンズ部収納部１２Ａ及びビューファインダ部収納部１２Ｂは、軸部材１５Ｂそれぞれにより、本体把持部１１の一対の支持枠部１１Ｂに対して回動可能に取り付けられ、回動抵抗発生部材１７Ａ及び回動抵抗発生部材１７Ｂにより発生する、カメラ部１２のレンズ部収納部１２Ａ及びビューファインダ部収納部１２Ｂと本体把持部１１の一対の支持枠部１１Ｂとの間の回動摩擦力によって、カメラ部１２を本体把持部１１に対して所望の回動位置でその姿勢を保持できる構成になっている。
【０１０５】
この構成より、本実施の形態のビデオカメラ２０１は、カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、それぞれ個別に異軸上（軸部材１５Ａ，１５Ｂ）で回動できる構成となっている。
【０１０６】
以上のように構成された本実施の形態のビデオカメラ２０１の作用について説明する。
【０１０７】
図９は、図６に示したビデオカメラについて、図６に示した状態とは別の状態のファインダ視認窓側から視た状態の外観斜視図である。
図９に示すように、本実施の形態のビデオカメラ２０１によれば、撮影者Ｐは、ピストルのグリップを握る要領で、ビデオカメラ本体１０の本体把持部１１の握り部１１Ａ周面をファインダ視認窓１４側から順手で握って、ビデオカメラ本体１０を支持する。
【０１０８】
そして、撮影者Ｐは、レンズ開口部１３を被写体と正対させ、ビデオカメラ本体１０のビューファインダ部収納部１２Ｂから出現させた、ビューファインダ部６０のファインダ視認窓１４からビューファインダ部６０を覗くことによって、撮影画像を確認しながら、本体把持部１１の握り部１１Ａを握った手の指でスタート／ストップスイッチ４１等を操作して、被写体の撮影を行う。
【０１０９】
その際、本体把持部１１、カメラ部１２のレンズ部５０、ビューファインダ部６０は、それぞれ軸部材１５Ａ，１５Ｂ（図８参照）を中心に、相互に個別に回動できるように構成されているから、本体把持部１１の握り部１１Ａの延設方向で規定されるグリップ方向Ｇと、カメラ部１２のレンズ開口部１３の軸方向、すなわちレンズ部５０の光軸方向で規定される撮影方向Ｓと、ビューファインダ部６０のファインダ視認窓１４の開口方向で規定されるファインダ視認方向Ｆとを、同一平面内において相互に任意の角度関係に調整することができる。
【０１１０】
図９は、図７に示したファインダ視認窓１４が隠れている状態にあるビューファインダ部６０を、カメラ部１２のレンズ部５０に対して軸部材１５Ａ回りに回動させてファインダ視認窓１４を出現させ、撮影方向Ｓとファインダ視認方向Ｆとが反対向きで、撮影方向Ｓ及びファインダ視認方向Ｆに対してグリップ方向Ｇがほぼ直角に交叉する基準状態から、撮影方向Ｓとグリップ方向Ｇとの間の角度ｒ１を増大させるように、本体把持部１１の握り部１１Ａに対してカメラ部１２のレンズ部５０を軸部材１５Ｂ回りに回動調整し、この回動に伴い、ファインダ視認方向Ｆとグリップ方向Ｇとの間の角度ｒ２が減少してファインダ視認方向Ｆとグリップ方向Ｇとが近接するのを防ぐように、本体把持部１１の握り部１１Ａに対してビューファインダ部６０を軸部材１５Ａ回りに回動調整した状態のビデオカメラ２０１を示したものである。
【０１１１】
したがって、本実施の形態のビデオカメラ２０１によれば、図９に例示したように、グリップ方向Ｇと、撮影方向Ｓと、ファインダ視認方向Ｆとを、同一平面内において相互に任意の角度関係に調整することできるので、種々の撮影姿勢に対応させて、グリップ方向Ｇやファインダ視認方向Ｆを、撮影方向Ｓの関係で把持し易い方向に調整することができる。
【０１１２】
さらに、本実施の形態のビデオカメラ２０１の場合は、ビデオカメラ２０１を使用しないときには、ビューファインダ部６０をビデオカメラ本体１０の視認窓格納孔１２Ｄからビューファインダ部収納部１２Ｂ内に収容し、ファインダ視認窓１４を隠しておくことができるので、ファインダ視認窓１４の汚れや傷つきを防ぐことができる。
【０１１３】
さらに、本実施の形態のビデオカメラ２０１の場合は、ビューファインダ部６０は、当該ビューファインダ部６０を除くその余のカメラ部１２としてのレンズ部収納部１２Ａ及びビューファインダ収納部１２Ｂに対して回動し、本体把持部１１とは回動連結されていないから、撮影者Ｐが本体把持部１１の握り部１１Ａを把持しながら、カメラ部１２のレンズ部収納部１２Ａの向きを回動調整した後に、続いてビューファインダ部６０の向きを調整しても、このビューファインダ部６０の回動調整により、既に調整し終わっている本体把持部１１に対するカメラ部１２のレンズ部収納部１２Ａの向きが変化してしまうこともない。
【０１１４】
そして、ビューファインダ部６０は、ファインダ視認窓１４が形成された側と反対側に形成された軸孔６０Ｂに挿通させた軸部材１５Ａを回動中心として、ビューファインダ収納部１２Ｂに対して回動させてファインダ視認窓１４を出現させるから、ビューファインダ部６０のファインダ視認窓１４がビューファインダ収納部１２Ｂから離間位置して出現することとなり、撮影者Ｐがファインダ視認窓１４を覗く際に、当該ビューファインダ部６０を除くビデオカメラ本体１０に顔が当てることなく、覗き易くなる。
【０１１５】
なお、本実施の形態のビデオカメラ２０１に係る、代表的な撮影姿勢を例にしたグリップ方向Ｇと、撮影方向Ｓと、ファインダ視認方向Ｆとの回動調整関係の説明については、図５による第１の実施の形態のビデオカメラ１０１の場合と同じなので、その詳細な説明は省略する。
【０１１６】
また、前述の図９に示したビデオカメラ２０１の、撮影方向Ｓ，グリップ方向Ｇ，ファインダ視認方向Ｆの各状態は、図５（ｃ）に示した低姿勢撮影の場合のビデオカメラ本体１０各部の状態を示している。
【０１１７】
以上、本実施の形態のビデオカメラ２０１によっても、グリップ方向Ｇが撮影方向Ｓ及びファインダ視認方向Ｆと交叉するように、ビデオカメラ本体１０が、本体把持部１１と、本体把持部１１の上方に一体的に配置された、レンズ部５０及びビューファインダ部６０を備えたカメラ部１２とから大略構成されているビデオカメラ２０１にあって、撮影姿勢等の違いに合わせて、グリップ方向Ｇ、撮影方向Ｓ、ファインダ視認方向Ｆ相互の相対角度を、撮影者Ｐが操作し易いように任意に調整することができる。
【０１１８】
［第３の実施の形態］
第３の実施の形態のシューティング方式のビデオカメラ３０１の構成について図面とともに説明する。
【０１１９】
なお、その説明に当たっては、前述の第１，２の実施の形態のビデオカメラ１０１，２０１と同一構成、対応する構成部分については、符号として同一番号を付し、その説明は一部省略する。
【０１２０】
さらに、本実施の形態のビデオカメラ３０１のファインダ視認窓側から視た外観斜視図については、図１及び図４に示した第１の実施の形態のビデオカメラ１０１のファインダ視認窓側から視た外観斜視図と変わりないので、図１及び図４を参照して説明する。
【０１２１】
本実施の形態のビデオカメラ３０１は、図１に示すように、ビデオカメラ本体１０が、本体把持部１１と、本体把持部１１の上方に一体的に配置されたカメラ部１２とから大略構成されている。
【０１２２】
本体把持部１１は、撮影画像の記録用の記録媒体が収納される記録媒体収納部２０、撮影画像確認用のモニタ部３０、及びスタート／ストップスイッチ４１，ズームイン／ズームアウトスイッチ４２といった各種操作スイッチ等が配置されている直方体形状の握り部１１Ａと、握り部１１Ａの上面から上方に延びる一対の支持枠部１１Ｂとから構成されている。
【０１２３】
図１０は、本実施の形態のビデオカメラから一方の支持枠部を取り除いて表したビデオカメラ本体の側面図である。
【０１２４】
図１１は、本実施の形態のビデオカメラのカメラ部の横断面図である。
カメラ部１２は、図１０に示すように、一側１２ａが端面にレンズ開口部１３が開口されたレンズ部収納部１２Ａとなり、他側１２ｂがビューファインダ部収納部１２Ｂとなっている。
【０１２５】
ビューファインダ部収納部１２Ｂは、ビデオカメラ本体１０の側面から眺めて、図１０に示すように、前述した本体把持部１１の一対の支持枠部１１Ｂにおける円弧状の周縁部分１１Ｂｂとほぼ同径の、中心角が鈍角の円弧状に形成され、カメラ部１２の他側１２ｂに円周端面１２Ｃを形成する。
【０１２６】
この円周端面１２Ｃには、図１及び図１１に示すように、その周方向に延びて視認窓移動孔１２Ｄが形成され、後述のビューファインダ部６０に備えられたファインダ視認窓１４が視認窓移動孔１２Ｄに沿って移動できる構成になっている。
【０１２７】
このように構成されたカメラ部１２のレンズ部収納部１２Ａ内には、図１１に示すように、レンズ開口部１３と同軸にレンズ部５０が収容され、カメラ部１２のビューファインダ部収納部１２Ｂ内には、ビューファインダ部６０が収容されている。
【０１２８】
ビューファインダ部６０は、小型液晶表示素子６１及び視認レンズ６２の配置方向に関して、視認レンズ６２側が、前述した本体把持部１１の一対の支持枠部１１Ｂにおける円弧状の周縁部分１１Ｂｂ、及びカメラ部１２の他側１２ｂに構成された円周端面１２Ｃとほぼ同径の円周面６０Ａ（図１参照）となっている。小型液晶表示素子６１及び視認レンズ６２の配置方向軸線が交叉する円周面６０Ａ部分には、ファインダ視認窓１４が形成されている。このファインダ視認窓１４は、円周面６０Ａの、周方向に関してほぼ中間の位置に配置されている。
【０１２９】
ここで、図１１に示すように、カメラ部１２の他端側１２ｂのビューファインダ部６０は、カメラ部１２のビューファインダ部収納部１２Ｂと連動しながら、本体把持部１１の一対の支持枠部１１Ｂに回動可能に取り付けられている。
【０１３０】
本実施の形態の場合は、本体把持部１１の一対の支持枠部１１Ｂの対向壁部それぞれには、円弧状周縁部分１１Ｂｂの円弧中心位置に対応させて、キー溝が形成された軸孔１１Ｄが設けられている。
【０１３１】
また、カメラ部１２のビューファインダ部収納部１２Ｂの両側側面には、円周端面１２Ｃの円弧中心位置に対応させて、軸孔１２Ｅがそれぞれ設けられている。
さらに、ビューファインダ部６０の両側壁にも、円周面６０Ａの円弧中心位置に対応させて、キー溝が形成された軸孔６０Ｂがそれぞれ設けられている。
【０１３２】
本体把持部１１の一対の支持枠部１１Ｂの中の一方の支持枠部１１Ｂ１と、カメラ部１２のビューファインダ部収納部１２Ｂとは、それぞれ軸孔１１Ｄと軸孔１２Ｅとを相対向させた状態で両軸孔１１Ｄ、１２Ｅに挿通させて設けた軸部材１５Ｃにより、相互に回動可能に装着されている。
【０１３３】
その際、本実施の形態では、支持枠部１１Ｂ１は、軸孔１１Ｄのキー溝に装着されたキー部材１９によって軸部材１５Ｃに対し回り止めがなされており、これにより、本体把持部１１は、軸部材１５Ｃと一体的に回動する構成になっている一方、カメラ部１２のビューファインダ部収納部１２Ｂは、この本体把持部１１と一体的に回動する軸部材１５Ｃ回りに回動する構成になっている。
【０１３４】
そして、軸部材１５Ｃの支持枠部１１Ｂ１内に位置する一端側には、止め輪等からなる抜け止め部材１６Ａがブッシュ１８を介して装着されて抜け止めされている。
【０１３５】
これに対し、カメラ部１２のビューファインダ部収納部１２Ｂ内に位置する軸部材１５Ｃの他端側は、当該ビューファインダ部収納部１２Ｂ内に形成された軸受部１２Ｆを介して、ビューファインダ部６０の相対向する一方の側壁の軸孔６０Ｂに挿通されている。ビューファインダ部６０内に位置する軸部材１５Ｃの他端側には、抜け止め部材１６Ｃが装着されて抜け止めされている。
これにより、ビューファインダ部６０は、軸部材１５Ｃに対しては、軸部材１５Ｃ回りに回動可能に装着されている。
【０１３６】
本体把持部１１の一対の支持枠部１１Ｂの中の支持枠部１１Ｂ２と、カメラ部１２のビューファインダ部収納部１２Ｂとは、それぞれ軸孔１１Ｄと軸孔１２Ｅとを相対向させた状態で両軸孔１１Ｄ、１２Ｅに挿通させて設けた軸部材１５Ｄにより、相互に回動可能に装着されている。
【０１３７】
その際、本実施の形態では、支持枠部１１Ｂ２は、軸孔１１Ｄのキー溝に装着されたキー部材１９によって軸部材１５Ｄに対し回り止めがなされており、これにより、本体把持部１１は、軸部材１５Ｄと一体的に回動する構成になっている。
【０１３８】
そして、軸部材１５Ｄの支持枠部１１Ｂ内に位置する一端側には、止め輪等からなる抜け止め部材１６Ａがブッシュ１８を介して装着されて抜け止めされている。
【０１３９】
これに対し、ビューファインダ部収納部１２Ｂの軸孔１２Ｅに挿通されて、カメラ部１２のビューファインダ部収納部１２Ｂ内に位置する軸部材１５Ｄの他端側には、第１の歯車７１が止着され、この第１の歯車７１は、軸部材１５Ｄを介し、ビューファインダ部収納部１２Ｂに対して、支持枠部１１Ｂ２が設けられた本体把持部１１とともに一体的に回動する構成になっている。
これにより、ビューファインダ部収納部１２Ｂは、軸部材１５Ｄと一体的な本体把持部１１に対して、軸部材１５Ｄ回りに回動可能に取り付けられている。
【０１４０】
ビューファインダ部６０の他方の側壁の軸孔６０Ｂには、軸部材１５Ｅが挿通されて設けられている。
この軸部材１５Ｅのビューファインダ部６０内に位置する一端側は、止め輪等からなる抜け止め部材１６Ｃがブッシュ１８を介して装着されて抜け止めされているとともに、軸孔６０Ｂのキー溝にはキー部材１９が装着されて、ビューファインダ部６０は、軸部材１５Ｅと一体的に回動する構成になっている。
【０１４１】
これに対し、ビューファインダ部６０外のビューファインダ部収納部１２Ｂ内に位置する軸部材１５Ｅの他端側は、当該ビューファインダ部収納部１２Ｂ内に形成された軸受部１２Ｆに軸支され、第２の歯車７２が止着されている。この第２の歯車７２は、軸部材１５Ｅを介して、ビューファインダ部６０と一体的に回動する構成になっている。
【０１４２】
この結果、本体把持部１１及びビューファインダ部６０は、ビューファインダ部収納部１２Ｂに対して、カメラ部１２の他側１２ｂに構成された円周端面１２Ｃの円弧中心位置に形成された軸孔１２Ｅを中心に、同軸上でそれぞれ回動する。そして、本体把持部１１及びビューファインダ部６０それぞれの回動量に対応して、第１の歯車７１及び第２の歯車７２それぞれが回動する構成になっている。
【０１４３】
その上で、本実施の形態の場合は、カメラ部１２のビューファインダ部収納部１２Ｂには、軸孔１２Ｅとは位置を異ならせて、軸孔１２Ｇが設けられている。この軸孔１２Ｇには、軸部材１５Ｆが回動可能に挿通されて設けられている。
【０１４４】
この軸部材１５Ｆのビューファインダ部収納部１２Ｂ外側のカメラ部収容空間１１Ｃ内に位置する一端側は、止め輪等からなる抜け止め部材１６Ｂがブッシュ１８を介して装着されて抜け止めされ、ビューファインダ部収納部１２Ｂは、軸部材１５Ｆと一体的に移動する構成になっている。
【０１４５】
これに対し、ビューファインダ部収納部１２Ｂ内に位置する軸部材１５Ｆの他端側には、第３の歯車７３が止着され、この第３の歯車７３は、軸部材１５Ｆを介して、ビューファインダ部収納部１２Ｂと一体的に、軸孔１２Ｅに挿通された軸部材１５Ｃ及び軸部材１５Ｄのそれぞれの回りを公転する構成になっている。
【０１４６】
さらに、この第３の歯車７３は、第１の歯車７１及び第２の歯車７２の何れとも歯合し、第１の歯車７１又は第２の歯車７２の一方側の回転を、第１の歯車７１又は第２の歯車７２の他方側に伝達する構成となっている。
【０１４７】
これら説明した構成より、本実施の形態のビデオカメラ３０１は、カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、相互に連動しながら同軸上（軸部材１５上）で回動できる構成となっており、かつ所望の回動位置でその回動姿勢を保持できるようになっている。
【０１４８】
以上のように構成された本実施の形態のビデオカメラ３０１の作用について説明する。
【０１４９】
図１２は、図１０に示したビデオカメラについての各部の回動調整の説明図である。
図１２に示すように、本実施の形態のビデオカメラ３０１によれば、撮影者Ｐは、ピストルのグリップを握る要領で、ビデオカメラ本体１０の本体把持部１１の握り部１１Ａ周面をファインダ視認窓１４側から順手で握って、ビデオカメラ本体１０を支持する。
【０１５０】
そして、撮影者Ｐは、レンズ開口部１３を被写体と正対させ、ビューファインダ部６０のファインダ視認窓１４からビューファインダ部６０を覗くことによって、撮影画像を確認しながら、本体把持部１１の握り部１１Ａを握った手の指でスタート／ストップスイッチ４１等を操作して、被写体の撮影を行う。
【０１５１】
その際、本体把持部１１、カメラ部１２のレンズ部５０、ビューファインダ部６０は、それぞれ軸部材１５Ｃ〜１５Ｆ（図１１参照）により、軸部材１５Ｃ〜１５Ｅを中心に、相互に連動しながら回動できるように構成されているから、本体把持部１１の握り部１１Ａの延設方向で規定されるグリップ方向Ｇと、カメラ部１２のレンズ開口部１３の軸方向、すなわちレンズ部５０の光軸方向で規定される撮影方向Ｓと、ビューファインダ部６０のファインダ視認窓１４の開口方向で規定されるファインダ視認方向Ｆとを、同一平面内において、第１の歯車７１、第２の歯車７２、及び第３の歯車７３の歯数比で定まる所定の角度関係に調整することができる。
【０１５２】
図１２は、図１２中に実線で示した、撮影方向Ｓとファインダ視認方向Ｆとが反対向きで、撮影方向Ｓ及びファインダ視認方向Ｆに対してグリップ方向Ｇが角度ｒ１０、ｒ２０をなす（図１２では、ほぼ直角に交叉）基準状態から、撮影方向Ｓとグリップ方向Ｇとの間の角度ｒ１０を角度△ｒだけ増大させて角度ｒ１２（＝ｒ１０＋△ｒ）に拡開するように、本体把持部１１の握り部１１Ａに対してカメラ部１２のレンズ部５０を回動調整した場合を示したものである。
【０１５３】
この回動に伴い、そのままでは、撮影方向Ｓと反対向きのファインダ視認方向Ｆは、角度△ｒだけグリップ方向Ｇ側に回動し、ファインダ視認方向Ｆとグリップ方向Ｇとの間の当初角度ｒ２０が角度△ｒだけ減少して、ファインダ視認方向Ｆとグリップ方向Ｇとが近接しようとする。
【０１５４】
ところが、本実施の形態のビデオカメラ３０１では、カメラ部１２のビューファインダ部６０と、当該ビューファインダ部６０を除くその余のカメラ部１２としてのレンズ部収納部１２Ａ及びビューファインダ収納部１２Ｂとが、第１の歯車７１、第２の歯車７２、及び第３の歯車７３によって、本体把持部１１に対して連動しながら回動する。
【０１５５】
これにより、上述の基準状態から、撮影方向Ｓとグリップ方向Ｇとの間の当初角度ｒ１０を角度△ｒだけ拡開させるように、本体把持部１１の握り部１１Ａに対してカメラ部１２のレンズ部５０を回動調整した場合、その回動量は、第１の歯車７１、第３の歯車７３、第２の歯車７２を順次介して、ビューファインダ部６０に伝達され、ファインダ視認方向Ｆとグリップ方向Ｇとの間の当初角度ｒ２０が角度△ｒだけ減少してファインダ視認方向Ｆとグリップ方向Ｇとが近接するのを防ぐように、本体把持部１１の握り部１１Ａに対してビューファインダ部６０も、ファインダ視認方向Ｆとグリップ方向Ｇとの間を、例えば角度△ｒ分だけ拡開するように連動して回動する。
【０１５６】
これに対し、逆に、基準状態から、撮影方向Ｓとグリップ方向Ｇとの間の角度ｒ１０を角度△ｒだけ減少させて角度ｒ１２に縮小するように、本体把持部１１の握り部１１Ａに対してカメラ部１２のレンズ部５０を回動調整した場合は、そのままでは、撮影方向Ｓと反対向きのファインダ視認方向Ｆは、角度△ｒだけグリップ方向Ｇ側から離間するように回動し、ファインダ視認方向Ｆとグリップ方向Ｇとの間の当初角度ｒ２０が角度△ｒだけ増加して、ファインダ視認方向Ｆとグリップ方向Ｇとが離間しようとする。
【０１５７】
ところが、本実施の形態のビデオカメラ３０１では、第１の歯車７１、第２の歯車７２、及び第３の歯車７３によって、ファインダ視認方向Ｆとグリップ方向Ｇとの間の当初角度ｒ２０が角度△ｒだけ増加してファインダ視認方向Ｆとグリップ方向Ｇとが離間するのを防ぐように、本体把持部１１の握り部１１Ａに対してビューファインダ部６０も、ファインダ視認方向Ｆとグリップ方向Ｇとの間を、例えば角度△ｒ分だけ縮小するように連動して回動する。
【０１５８】
したがって、本実施の形態のビデオカメラ３０１によれば、図１２に例示したように、グリップ方向Ｇと、撮影方向Ｓと、ファインダ視認方向Ｆとを、同一平面内において相互に任意の角度関係に調整することできるので、種々の撮影姿勢に対応させて、グリップ方向Ｇやファインダ視認方向Ｆを、撮影方向Ｓの関係で把持し易い方向に調整することができる。
【０１５９】
そして、その際も、撮影者Ｐが、本体把持部１１の握り部１１Ａを把持してカメラ部１２のレンズ部５０を回動調整して、本体把持部１１の握り部１１Ａを把持し易い状態に設定すれば、ビューファインダ部６０もそのファインダ視認窓１４を撮影者Ｐが視認し易い状態に自動的に回動調整されるので、本体把持部１１の握り部１１Ａを把持して、カメラ部１２のレンズ部５０とビューファインダ部６０とを本体把持部１１に対して個別にそれぞれを回動調整する必要もないから、調整作業も容易である。
【０１６０】
なお、本実施の形態のビデオカメラ３０１に係る、代表的な撮影姿勢を例にしたグリップ方向Ｇと、撮影方向Ｓと、ファインダ視認方向Ｆとの回動調整関係の説明については、図５による第１の実施の形態のビデオカメラ１０１の場合と同じなので、その詳細な説明は省略する。
【０１６１】
以上、本実施の形態のビデオカメラ３０１によっても、グリップ方向Ｇが撮影方向Ｓ及びファインダ視認方向Ｆと交叉するように、ビデオカメラ本体１０が、本体把持部１１と、本体把持部１１の上方に一体的に配置された、レンズ部５０及びビューファインダ部６０を備えたカメラ部１２とから大略構成されているビデオカメラ３０１であって、撮影姿勢等の違いに合わせて、グリップ方向Ｇ、撮影方向Ｓ、ファインダ視認方向Ｆ相互の相対角度を、撮影者Ｐが操作し易いように任意に調整することができる。
【０１６２】
［第４の実施の形態］
第４の実施の形態のシューティング方式のビデオカメラ４０１の構成について図面とともに説明する。
【０１６３】
なお、その説明に当たっては、前述の第１，２，３の実施の形態のビデオカメラ１０１，２０１，３０１と同一構成、対応する構成部分については、符号として同一番号を付し、その説明は一部省略する。
【０１６４】
さらに、本実施の形態のビデオカメラ４０１のファインダ視認窓側から視た外観斜視図については、図６及び図９に示した第２の実施の形態のビデオカメラ２０１のファインダ視認窓側から視た外観斜視図と変わりないので、図６及び図９を参照して説明する。
【０１６５】
本実施の形態のビデオカメラ４０１は、図６に示すように、ビデオカメラ本体１０が、本体把持部１１と、本体把持部１１の上方に一体的に配置されたカメラ部１２とから大略構成されている。
【０１６６】
本体把持部１１は、撮影画像の記録用の記録媒体が収納される記録媒体収納部２０、撮影画像確認用のモニタ部３０、及びスタート／ストップスイッチ４１，ズームイン／ズームアウトスイッチ４２（後述の図２参照）といった各種操作スイッチ等が配置されている直方体の柱形状の握り部１１Ａと、握り部１１Ａの上面から上方に延びる一対の支持枠部１１Ｂとから構成されている。
【０１６７】
図１３は、本実施の形態のビデオカメラから一方の支持枠部を取り除いて表したビデオカメラ本体の側面図である。
【０１６８】
図１４は、本実施の形態のビデオカメラのカメラ部の横断面図である。
カメラ部１２は、図１３に示すように、一側１２ａが端面にレンズ開口部１３が開口されたレンズ部収納部１２Ａとなり、他側１２ｂがビューファインダ部収納部１２Ｂとなっている。
【０１６９】
ビューファインダ部収納部１２Ｂは、ビデオカメラ本体１０の側面から眺めて、図１３に示すように、前述した本体把持部１１の一対の支持枠部１１Ｂにおける円弧状の周縁部分１１Ｂｂとほぼ同径の、中心角が鈍角の円弧状に形成され、カメラ部１２の他側１２ｂに円周端面１２Ｃを形成する。
【０１７０】
この円周端面１２Ｃには、図６及び図１４に示すように、その周方向に延びて視認窓格納孔１２Ｄが形成され、後述のビューファインダ部６０に備えられたファインダ視認窓１４が視認窓格納孔１２Ｄから出没可能な構成になっている。
【０１７１】
このように構成されたカメラ部１２のレンズ部収納部１２Ａ内には、図１４に示すように、レンズ開口部１３と同軸に、撮影レンズ５１及びＣＣＤ撮像素子５２等を有するレンズ部５０が収容されている。
【０１７２】
また、カメラ部１２のビューファインダ部収納部１２Ｂ内には、小型液晶表示素子６１及び視認レンズ６２を備えた撮影画像の確認用のビューファインダ部６０が格納されている。
【０１７３】
ビューファインダ部６０は、小型液晶表示素子６１及び視認レンズ６２の配置方向に関して、図１３に示すように、その長さがビューファインダ部収納部１２Ｂの円周端面１２Ｃ部分の直径よりも小さく、図１４に示すように、小型液晶表示素子６１が配置された側の両側面にキー溝が形成された軸孔６０Ｂが形成され、視認レンズ６２が配置された側の端面には、ファインダ視認窓１４が形成されている。そして、図１３に示すように、ビューファインダ部６０の両側面を接続するとともに、小型液晶表示素子６１及び視認レンズ６２の配置方向に沿って延びる上面は、本体把持部１１の一対の支持枠部１１Ｂにおける円弧状の周縁部分１１Ｂｂ、及びカメラ部１２の他側１２ｂに構成された円周端面１２Ｃとほぼ同径の円周面６０Ａとなっている。その上で、ビューファインダ部６０は、その円周面６０Ａを、本体把持部１１の一対の支持枠部１１Ｂにおける円弧状の周縁部分１１Ｂｂ、及びカメラ部１２の他側１２ｂに構成された円周端面１２Ｃに沿わせて、ファインダ視認窓１４を外部から隠した状態で、ビューファインダ部収納部１２Ｂ内に格納される構成になっている。
【０１７４】
そのために、図１３に示すように、ビューファインダ部６０の円周面６０Ａを、本体把持部１１の一対の支持枠部１１Ｂにおける円弧状の周縁部分１１Ｂｂ、及びカメラ部１２の他側１２ｂに構成された円周端面１２Ｃに沿わせた配置状態で、ビューファインダ部６０の両側面の軸孔６０Ｂと相対向させて、ビューファインダ部収納部１２Ｂの側面には長穴形状の軸孔１２Ｅ１（図１４参照）がそれぞれ設けられている。
【０１７５】
ビューファインダ部６０と、カメラ部１２のビューファインダ収納部１２Ｂとは、図１４に示すように、それぞれ軸孔６０Ｂと軸孔１２Ｅ１とを相対向させた状態で両軸孔６０Ｂ、１２Ｅ１に挿通させて設けた軸部材１５Ｇ，１５Ｈにより、相互に回動可能に装着されている。
【０１７６】
これら軸部材１５Ｇ，１５Ｈのビューファインダ部収納部１２Ｂ外のカメラ部収容空間１１Ｃ内に位置する一端側は、止め輪等からなる抜け止め部材１６Ａ１が装着されて抜け止めされて、軸孔１２Ｅ１の長穴形状に沿って移動可能に取り付けられている。これに対し、ビューファインダ部６０内に位置する他端側は、止め輪等からなる抜け止め部材１６Ｂがブッシュ１８を介して装着されて抜け止めされているとともに、軸孔６０Ｂのキー溝にはキー部材１９が装着されている。また、カメラ部収容空間１１Ｃを画成する本体把持部１１の一対の支持枠部１１Ｂの中の、支持枠部１１Ｂ２側の軸部材１５Ｈには、ビューファインダ部収納部１２Ｂ内に位置する中間部に、第２の歯車７２が止着されている。
【０１７７】
これにより、ビューファインダ部６０は、一対の支持枠部１１Ｂが設けられた本体把持部１１に対して、軸部材１５Ｇ，１５Ｈと一体になって回動する構成になっている。そして、本体把持部１１に対するビューファインダ部６０の回転は、第２の歯車７２に伝達されるとともに、ビューファインダ部収納部１２Ｂは、この軸部材１５Ｇ，１５Ｈ回りに回動する構成になっている。
【０１７８】
さらに、軸部材１５Ｇ，１５Ｈは、ビューファインダ部収納部１２Ｂの側面の長穴形状の軸孔１２Ｅ１に沿って当該軸孔１２Ｅ１内を移動可能になっているため、ビューファインダ部６０は、ビューファインダ部収納部１２Ｂに対する回動中心位置をずらせる構成となっている。
【０１７９】
なお、長穴形状の軸孔１２Ｅ１内の軸部材１５Ｇ，１５Ｈは、図示せぬバネ等の付勢手段を備えた係脱機構が備えられており、この係脱機構の作用により軸孔１２Ｅ１内のいずれか一方側に位置するよう位置決めされている。
【０１８０】
また、本体把持部１１の一対の支持枠部１１Ｂの対向壁部それぞれには、円弧状周縁部分１１Ｂｂの円弧中心位置に対応させて、キー溝が形成された軸孔１１Ｄが設けられている。同様に、カメラ部１２のビューファインダ部収納部１２Ｂの両側側面には、円周端面１２Ｃの円弧中心位置に対応させて、軸孔１２Ｅ２がそれぞれ設けられている。
【０１８１】
そして、本体把持部１１の一対の支持枠部１１Ｂと、カメラ部１２のビューファインダ部収納部１２Ｂとは、それぞれ軸孔１１Ｄと軸孔１２Ｅ２とを相対向させた状態で両軸孔１１Ｄ、１２Ｅに挿通させて設けた軸部材１５Ｉ，１５Ｊにより、相互に回動可能に装着されている。
【０１８２】
それぞれ軸部材１５Ｉ，１５Ｊのそれぞれ支持枠部１１Ｂ１，１１Ｂ２内に位置する一端側は、止め輪等からなる抜け止め部材１６Ａ２がブッシュ１８を介して装着されて抜け止めされているとともに、軸孔１１Ｄのキー溝にはキー部材１９が装着されて回り止めされている。
【０１８３】
そして、本体把持部１１の支持枠部１１Ｂ１側に設けられた軸部材１５Ｉは、ビューファインダ部収納部１２Ｂ内に位置する他端側が、止め輪等からなる抜け止め部材１６Ｂがブッシュ１８を介して装着されて抜け止めされている一方、本体把持部１１の支持枠部１１Ｂ２側に設けられた軸部材１５Ｊは、ビューファインダ部収納部１２Ｂ内に位置する他端側に、第１の歯車７１が止着されている。
【０１８４】
これにより、ビューファインダ部収納部１２Ｂは、本体把持部１１に設けられた一対の支持枠部１１Ｂに回り止めされた軸部材１５Ｉ，１５Ｊ回りに、回動する構成になっている。そして、レンズ部収納部１２Ａ及びビューファインダ部収納部１２Ｂに対する本体把持部１１の回転は、第１の歯車７１により取り出せる構成になっている。
【０１８５】
また、本体把持部１１の支持枠部１１Ｂ２側に対応するビューファインダ部収納部１２Ｂの側面には、前述した軸孔１２Ｅ１と軸孔１２Ｅ２との間に位置させて、軸孔１２Ｅ３（図示省略）が設けられている。
【０１８６】
この軸孔１２Ｅ３には、軸部材１５Ｋが回動可能に挿通され、カメラ部収容空間１１Ｃ内に位置する一端側は、止め輪等からなる抜け止め部材１６Ａ３が装着されて抜け止めされている。また、ビューファインダ部収納部１２Ｂ内に位置する軸部材１５Ｋの他端側に、第３の歯車７３が止着されており、第３の歯車７３は、第１の歯車７１及び第２の歯車７２と歯合し、両者を連動させる構成になっている。
【０１８７】
ビューファインダ部収納部１２Ｂは、第３の歯車７３が止着された軸部材１５Ｋを介して、第３の歯車７３と一体的に、第１の歯車７１の回りを公転する構成になっている。そして、その際には、ビューファインダ部６０も、ビューファインダ部収納部１２Ｂとともに、第１の歯車７１の回りを公転する構成になっている。
【０１８８】
なお、その際、第２の歯車７２は、図１３に示すように、カメラ部１２の円周端面１２Ｃにビューファインダ部６０の円周面６０Ａを重合させたファインダ視認窓１４が隠れている状態から、一旦、ビューファインダ部６０のファインダ視認窓１４をカメラ部１２のレンズ開口部１３に対して反対側に向けるまでの間は、前述した係脱機構の作用により、ビューファインダ部収納部１２Ｂの長穴形状の軸孔１２Ｅ１の他側に位置し、第３の歯車７３とは歯合しない一方、その後は撮影者Ｐが係脱機構を操作するまで、ビューファインダ部収納部１２Ｂの長穴形状の軸孔１２Ｅ１の一側に位置し、第３の歯車７３と歯合している構成になっている。
【０１８９】
これら説明した構成より、本実施の形態のビデオカメラ４０１は、カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、それぞれ連動しながら異軸上（軸部材１５Ｇ，１５Ｈ、１５Ｉ，１５Ｊ）で回動できる構成となっており、かつ所望の回動位置でその回動姿勢を保持できるようになっている。
【０１９０】
以上のように構成された本実施の形態のビデオカメラ４０１の作用について説明する。
【０１９１】
図１５は、図１３に示したビデオカメラについての各部の回動調整の説明図である。
図１５に示すように、本実施の形態のビデオカメラ４０１によれば、撮影者Ｐは、ピストルのグリップを握る要領で、ビデオカメラ本体１０の本体把持部１１の握り部１１Ａ周面をファインダ視認窓１４側から順手で握って、ビデオカメラ本体１０を支持する。
【０１９２】
そして、撮影者Ｐは、レンズ開口部１３を被写体と正対させ、ビデオカメラ本体１０のビューファインダ部収納部１２Ｂから出現させた、ビューファインダ部６０のファインダ視認窓１４からビューファインダ部６０を覗くことによって、撮影画像を確認しながら、本体把持部１１の握り部１１Ａを握った手の指でスタート／ストップスイッチ４１等を操作して、被写体の撮影を行う。
【０１９３】
その際、本体把持部１１、カメラ部１２のレンズ部５０、ビューファインダ部６０は、それぞれ軸部材１５Ｇ〜１５Ｋ（図１４参照）により、軸部材１５Ｇ〜１５Ｉを中心に、相互に連動しながら回動できるように構成されているから、本体把持部１１の握り部１１Ａの延設方向で規定されるグリップ方向Ｇと、カメラ部１２のレンズ開口部１３の軸方向、すなわちレンズ部５０の光軸方向で規定される撮影方向Ｓと、ビューファインダ部６０のファインダ視認窓１４の開口方向で規定されるファインダ視認方向Ｆとを、同一平面内において、第１の歯車７１、第２の歯車７２、及び第３の歯車７３の歯数比で定まる所定の角度関係に調整することができる。
【０１９４】
図１５は、図１５中で実線で示した、撮影方向Ｓとファインダ視認方向Ｆとが反対向きで、撮影方向Ｓ及びファインダ視認方向Ｆに対してグリップ方向Ｇが角度ｒ１０、ｒ２０をなす（図１２では、ほぼ直角に交叉）基準状態から、撮影方向Ｓとグリップ方向Ｇとの間の角度ｒ１０を角度△ｒだけ増大させて角度ｒ１２（＝ｒ１０＋△ｒ）に拡開するように、本体把持部１１の握り部１１Ａに対してカメラ部１２のレンズ部５０を回動調整した場合を示したものである。
【０１９５】
この回動に伴い、そのままでは、撮影方向Ｓと反対向きのファインダ視認方向Ｆは、角度△ｒだけグリップ方向Ｇ側に回動し、ファインダ視認方向Ｆとグリップ方向Ｇとの間の当初角度ｒ２０が角度△ｒだけ減少して、ファインダ視認方向Ｆとグリップ方向Ｇとが近接しようとする。
【０１９６】
ところが、本実施の形態のビデオカメラ４０１では、カメラ部１２のビューファインダ部６０と、当該ビューファインダ部６０を除くその余のカメラ部１２としてのレンズ部収納部１２Ａ及びビューファインダ収納部１２Ｂとが、第１の歯車７１、第２の歯車７２及び第３の歯車７３によって本体把持部１１に対して連動しながら回動する。
【０１９７】
これにより、上述の基準状態から、撮影方向Ｓとグリップ方向Ｇとの間を拡開させるように本体把持部１１の握り部１１Ａに対してカメラ部１２のレンズ部５０を回動調整した場合、その回動量は、第１の歯車７１、第３の歯車７３、第２の歯車７２を順次介して、ビューファインダ部６０に伝達され、ファインダ視認方向Ｆとグリップ方向Ｇとの間の角度ｒ２０が角度△ｒだけ減少してファインダ視認方向Ｆとグリップ方向Ｇとが近接するのを防ぐように、本体把持部１１の握り部１１Ａに対してビューファインダ部６０も、ファインダ視認方向Ｆとグリップ方向Ｇとの間を、例えばこの減少する分の角度△ｒを少なくするために拡開するように連動して回動する。
【０１９８】
これに対し、逆に、基準状態から、撮影方向Ｓとグリップ方向Ｇとの間の角度ｒ１０を角度△ｒだけ減少させて角度ｒ１２に縮小するように、本体把持部１１の握り部１１Ａに対してカメラ部１２のレンズ部５０を回動調整した場合は、そのままでは、撮影方向Ｓと反対向きのファインダ視認方向Ｆは、角度△ｒだけグリップ方向Ｇ側から離間するように回動し、ファインダ視認方向Ｆとグリップ方向Ｇとの間の当初角度ｒ２０が角度△ｒだけ増加して、ファインダ視認方向Ｆとグリップ方向Ｇとが離間しようとする。
【０１９９】
ところが、本実施の形態のビデオカメラ４０１では、第１の歯車７１、第２の歯車７２及び第３の歯車７３によって、ファインダ視認方向Ｆとグリップ方向Ｇとの間の角度ｒ２０が角度△ｒだけ増加してファインダ視認方向Ｆとグリップ方向Ｇとが離間するのを防ぐように、本体把持部１１の握り部１１Ａに対してビューファインダ部６０も、ファインダ視認方向Ｆとグリップ方向Ｇとの間を、例えばこの増加する分の角度△ｒを少なくするために縮小するように連動して回動する。
【０２００】
したがって、本実施の形態のビデオカメラ４０１によれば、図１５に例示したように、グリップ方向Ｇと、撮影方向Ｓと、ファインダ視認方向Ｆとを、同一平面内において相互に任意の角度関係に調整することできるので、種々の撮影姿勢に対応させて、グリップ方向Ｇやファインダ視認方向Ｆを、撮影方向Ｓの関係で把持し易い方向に調整することができる。
【０２０１】
そして、その際も、撮影者Ｐが、本体把持部１１の握り部１１Ａを把持してカメラ部１２のレンズ部５０を回動調整して、本体把持部１１の握り部１１Ａを把持し易い状態に設定すれば、ビューファインダ部６０もそのファインダ視認窓１４を撮影者Ｐが視認し易い状態に自動的に回動調整されるので、本体把持部１１の握り部１１Ａを把持して、カメラ部１２のレンズ部５０とビューファインダ部６０とを本体把持部１１に対して個別にそれぞれを回動調整する必要もないから、調整作業も容易である。
【０２０２】
加えて、本実施の形態のビデオカメラ４０１の場合は、ビデオカメラ４０１を使用しないときには、ビューファインダ部６０をビデオカメラ本体１０の視認窓格納孔１２Ｄからビューファインダ部収納部１２Ｂ内に収容し、ファインダ視認窓１４を隠しておくことができるので、ファインダ視認窓１４の汚れや傷つきを防ぐことができる。
【０２０３】
そして、ビューファインダ部６０は、そのファインダ視認窓１４がビューファインダ収納部１２Ｂから離間位置して出現するから、撮影者Ｐがファインダ視認窓１４を覗く際に、当該ビューファインダ部６０を除くビデオカメラ本体１０に顔が当てることなく、覗き易くなる。
【０２０４】
なお、本実施の形態のビデオカメラ４０１に係る、代表的な撮影姿勢を例にしたグリップ方向Ｇと、撮影方向Ｓと、ファインダ視認方向Ｆとの回動調整関係の説明については、図５による第１の実施の形態のビデオカメラ１０１の場合と同じなので、その詳細な説明は省略する。
【０２０５】
以上、本実施の形態のビデオカメラ４０１によっても、グリップ方向Ｇが撮影方向Ｓ及びファインダ視認方向Ｆと交叉するように、ビデオカメラ本体１０が、本体把持部１１と、本体把持部１１の上方に一体的に配置された、レンズ部５０及びビューファインダ部６０を備えたカメラ部１２とから大略構成されているビデオカメラ４０１であって、撮影姿勢等の違いに合わせて、グリップ方向Ｇ、撮影方向Ｓ、ファインダ視認方向Ｆ相互の相対角度を、撮影者Ｐが操作し易いように任意に調整することができる。
【０２０６】
［第５の実施の形態］
第５の実施の形態のシューティング方式のビデオカメラ５０１の構成について図面とともに説明する。
【０２０７】
なお、その説明に当たっては、前述の第１，２，３，４の実施の形態のビデオカメラ１０１，２０１，３０１，４０１と同一構成、対応する構成部分については、符号として同一番号を付し、その説明は一部省略する。
【０２０８】
図１６は、第５の実施の形態のシューティング方式のビデオカメラのファインダ視認窓側から視た外観斜視図である。
【０２０９】
図１７は、図１６に示したビデオカメラのファインダ視認窓を出現させた状態のファインダ視認窓側から視た外観斜視図である。
【０２１０】
図１８は、図１６に示したビデオカメラの縦断面図である。
【０２１１】
図１９は、図１６に示したビデオカメラの図１８とは別の方向から視た縦断面図である。
【０２１２】
本実施の形態のビデオカメラ５０１は、ビデオカメラ本体１０が、本体把持部１１と、本体把持部１１の上方に一体的に配置されたカメラ部１２とから大略構成されている。
【０２１３】
本体把持部１１には、撮影画像の記録用の記録媒体が収納される記録媒体収納部２０、撮影画像確認用のモニタ部３０、及びスタート／ストップスイッチ４１といった各種操作スイッチ等が配置されている直方体の柱形状の握り部１１Ａと、握り部１１Ａの上面から上方に延びる一対の支持枠部１１Ｂとから構成されている。
【０２１４】
各支持枠部１１Ｂは、ビデオカメラ本体１０を側面から眺めて、一側の周縁部分１１Ｂａがテーパ状に形成され、他側の周縁部分１１Ｂｂが、この周縁部分１１Ｂａに連なった中心角が鈍角の円弧状に形成されている。
【０２１５】
そして、一方の支持枠部１１Ｂには、円弧状の周縁部分１１Ｂｂの円弧中心と同心にビューファインダ出現孔１１Ｆ（図１８参照）が貫通して形成されている。
【０２１６】
本体把持部１１の握り部１１Ａ上面、及び一対の支持枠部１１Ｂの対向する壁面で形成される空間は、カメラ部収容空間１１Ｃを形成する。このカメラ部収容空間１１Ｃには、カメラ部１２の他端側１２ｂが収容される。
【０２１７】
カメラ部１２は、図１９に示すように、一側１２ａが端面にレンズ開口部１３が開口されたレンズ部収納部１２Ａとなり、他側１２ｂがビューファインダ部収納部１２Ｂとなっている。
【０２１８】
ビューファインダ部収納部１２Ｂは、ビデオカメラ本体１０の側面から眺めて、図１９に示すように、前述した本体把持部１１の一対の支持枠部１１Ｂにおける円弧状の周縁部分１１Ｂｂとほぼ同径の、中心角が鈍角の円弧状に形成され、カメラ部１２の他側１２ｂに円周端面１２Ｃを形成する。
【０２１９】
ビューファインダ出現孔１１Ｆが形成された一方の支持枠部１１Ｂと相対向する側の、ビューファインダ部収納部１２Ｂの側面には、円周端面１２Ｃの円弧中心位置に対応させて、ビューファインダ出現孔１１Ｆと同軸にビューファインダ部格納孔１２Ｄ（図１８参照）が開口している。本実施の形態の場合、ビューファインダ部格納孔１２Ｄは、ビューファインダ出現孔１１Ｆと同径になっていて、このビューファインダ部格納孔１２Ｄ及びビューファインダ出現孔１１Ｆを介して、後述のビューファインダ部６０が出没する構成になっている。
【０２２０】
このように構成されたカメラ部１２のレンズ部収納部１２Ａ内には、図１９に示すように、レンズ開口部１３と同軸に、撮影レンズ５１及びＣＣＤ撮像素子５２等を有するレンズ部５０が収容されている。
【０２２１】
また、カメラ部１２のビューファインダ部収納部１２Ｂ内には、小型液晶表示素子６１及び視認レンズ６２を備えた撮影画像の確認用のビューファインダ部６０が収容されている。
【０２２２】
ビューファインダ部６０は、図１８に示すように、ビューファインダ部格納孔１２Ｄ及びビューファインダ出現孔１１Ｆよりもやや小径の円筒形状で構成され、その軸方向の一側端面は閉塞され蓋部６０Ｃとなり、他側の周面には、外歯の歯車部６０Ｄが形成されている。
【０２２３】
また、このように構成されたビューファインダ部６０内の径方向には、図１９に示すように、小型液晶表示素子６１及び視認レンズ６２が配置され、この小型液晶表示素子６１及び視認レンズ６２が配置された径方向の一方側の周壁には、ファインダ視認窓１４が形成されて構成されている。
【０２２４】
このビューファインダ部６０は、図１８に示すように、その蓋部６０Ｃをビューファインダ部収納部１２Ｂの外方に向け、その歯車部６０Ｄをビューファインダ部収納部１２Ｂ内に収容して、ビューファインダ部格納孔１２Ｄ及びビューファインダ出現孔１１Ｆからテレスコピックに設けられる。なお、ビューファインダ部６０の歯車部６０Ｄは、ビューファインダ部格納孔１２Ｄ及びビューファインダ出現孔１１Ｆからのビューファインダ部６０の脱落も防止する。
【０２２５】
そして、本実施の形態では、ビューファインダ部６０は、ビューファインダ部収納部１２Ｂ内に格納された状態で、例えば、その蓋部６０Ｃ側がビューファインダ出現孔１１Ｆから軸方向に少量だけ突出するようにして、撮影者Ｐがこの蓋部６０Ｃ側部分を摘み、そのファインダ視認窓１４を、図１７に示すように、ビューファインダ部収納部１２Ｂ内から出現させることができる構成になっている。
【０２２６】
その上で、ビューファインダ部６０は、ビューファインダ部格納孔１２Ｄ及びビューファインダ出現孔１１Ｆに回転可能に支持され、カメラ部１２のビューファインダ部６０を除く他部としてのレンズ部５０等、及び本体把持部１１に対して、図１８に示すように、回動可能に設けられている。
【０２２７】
図１８及び図１９に示すように、本実施の形態のビデオカメラ５０１の場合では、ビューファインダ部収納部１２Ｂの側壁には、円周端面１２Ｃの円弧中心位置を中心位置とし、ビューファインダ部６０の歯車部６０Ｄの径方向の外方に位置させて、円弧状の軸ガイド孔１２Ｈが設けられている。
【０２２８】
ビューファインダ部収納部１２Ｂの円弧状の内周面には、内歯の歯車部１２Ｊが形成され、ビューファインダ部収納部１２Ｂ、すなわちカメラ部１２のビューファインダ部６０を除く他部としてのレンズ部５０等の歯車部を構成している。
【０２２９】
そして、前述の軸ガイド孔１２Ｈには、ビューファインダ部６０の歯車部６０Ｄと歯合するとともに、ビューファインダ部収納部１２Ｂ内周面の歯車部１２Ｊと歯合し、歯車部６０Ｄと歯車部１２Ｊとを連動させる歯車７４の軸部７４Ｂが挿通され、軸ガイド孔１２Ｈに沿って歯車７４は移動可能になっている。また、歯車７４の歯車部７４Ａの幅は、ビューファインダ部６０のファインダ視認窓１４を出現させた状態で、ビューファインダ部格納孔１２Ｄ及びビューファインダ出現孔１１Ｆからビューファインダ部６０を突出させても、ビューファインダ部６０の歯車部６０Ｄと歯合可能な幅を有する。
【０２３０】
そして、軸ガイド孔１２Ｈに挿通された歯車７４の軸部７４Ｂの両端は、それぞれ本体把持部１１の一対の支持枠部１１Ｂに設けられた軸受孔１１Ｇに回転可能に支承されている。
【０２３１】
したがって、図１９及び図２０に示すように、本体把持部１１に対して、カメラ部１２のビューファインダ部６０を除く他部としてのレンズ部収納部１２Ａ内にあるレンズ部５０、ビューファインダ部収納部１２Ｂが相対的に回動すると、本体把持部１１に支承された歯車７４は、ビューファインダ部収納部１２Ｂの軸ガイド孔１２Ｈに沿って、内周面に形成された歯車部１２Ｊ上を回転しながら移動する。この歯車７４の回転より、この歯車７４とその歯車部６０Ｄが歯合しているビューファインダ部６０も回動し、本体把持部１１に対して相対的に回動される。
【０２３２】
図２０は、図１９に示したビデオカメラの別の回動状態を示した縦断面図である。
これら説明した構成より、本実施の形態のビデオカメラ５０１は、カメラ部１２のビューファインダ部６０と、当該ビューファインダ部６０を除くその余のカメラ部１２としてのレンズ部収納部１２Ａ及びビューファインダ収納部１２Ｂとが、本体把持部１１に対して、それぞれ連動しながら個別に同軸上で回動できる構成となっており、かつ所望の回動位置でその回動姿勢を保持できるようになっている。
【０２３３】
以上のように構成された本実施の形態のビデオカメラ５０１の作用について説明する。
【０２３４】
本実施の形態のビデオカメラ５０１によれば、撮影者Ｐは、ピストルのグリップを握る要領で、ビデオカメラ本体１０の本体把持部１１の握り部１１Ａ周面をファインダ視認窓１４側から順手で握って、ビデオカメラ本体１０を支持する。
【０２３５】
そして、撮影者Ｐは、レンズ開口部１３を被写体と正対させ、ビデオカメラ本体１０のビューファインダ部収納部１２Ｂから出現させた、ビューファインダ部６０のファインダ視認窓１４を覗くことによって、撮影画像を確認しながら、本体把持部１１の握り部１１Ａを握った手の指でスタート／ストップスイッチ４１等を操作して、被写体の撮影を行う。
【０２３６】
その際、本体把持部１１、レンズ部５０を含みビューファインダ部６０を除くその余のカメラ部１２、及びビューファインダ部６０は、それぞれ回動中心を同じくして、相互に連動しながら回動できるように構成されているから、本体把持部１１の握り部１１Ａの延設方向で規定されるグリップ方向Ｇと、カメラ部１２のレンズ開口部１３の軸方向、すなわちレンズ部５０の光軸方向で規定される撮影方向Ｓと、ビューファインダ部６０のファインダ視認窓１４の開口方向で規定されるファインダ視認方向Ｆとを、並行平面内において、ビューファインダ部６０の歯車部６０Ｄ、ビューファインダ部収納部１２Ｂ内周面の歯車部１２Ｊ、及び歯車７４の歯数比で定まる所定の角度関係に調整することができる。
【０２３７】
図２０は、図１９に示した、撮影方向Ｓとファインダ視認方向Ｆとが反対向きで、撮影方向Ｓとグリップ方向Ｇとの間の角度ｒ１が角度ｒ１０、ファインダ視認方向Ｆとグリップ方向Ｇとの間の角度ｒ２が角度ｒ２０をなす基準状態から、撮影方向Ｓとグリップ方向Ｇとの間の角度ｒ１を角度△ｒ１だけ増大させて、撮影方向Ｓとグリップ方向Ｇとの間の角度ｒ１を角度ｒ１２（＝ｒ１０＋△ｒ）に拡開するように、本体把持部１１の握り部１１Ａに対してカメラ部１２のレンズ部５０を回動調整した場合を示したものである。
【０２３８】
この回動に伴い、仮にビューファインダ部６０がビューファインダ収納部１２Ｂとともにレンズ部５０と一体となって回動しようとする場合には、撮影方向Ｓと反対向きのファインダ視認方向Ｆは、角度△ｒ１だけグリップ方向Ｇ側に回動し、ファインダ視認方向Ｆとグリップ方向Ｇとの間の当初角度ｒ２０が角度△ｒ１だけ減少して、ファインダ視認方向Ｆとグリップ方向Ｇとが近接しようとする。
【０２３９】
ところが、本実施の形態のビデオカメラ５０１では、カメラ部１２のビューファインダ部６０と、当該ビューファインダ部６０を除くその余のカメラ部１２としてのレンズ部収納部１２Ａ及びビューファインダ収納部１２Ｂとが、ビューファインダ部収納部１２Ｂ内周面の歯車部１２Ｊ、本体把持部１１に軸承された歯車７４、及びビューファインダ部６０の歯車部６０Ｄによって、本体把持部１１に対して、当該ビューファインダ部６０を除くその余のカメラ部１２と連動しながら、逆向きに回動する。
【０２４０】
これにより、上述の基準状態から、撮影方向Ｓとグリップ方向Ｇとの間の角度ｒ１を拡開させるように、本体把持部１１の握り部１１Ａに対して、カメラ部１２のレンズ部５０を回動調整した場合、その回動量は、歯車部１２Ｊ、歯車７４、歯車部６０Ｄを順次介して、ビューファインダ部６０に伝達され、ファインダ視認方向Ｆとグリップ方向Ｇとの間の当初角度ｒ２０が角度△ｒ２だけ減少してファインダ視認方向Ｆとグリップ方向Ｇとが近接するのを防ぐように、本体把持部１１の握り部１１Ａに対してビューファインダ部６０も、ファインダ視認方向Ｆとグリップ方向Ｇとの間の角度ｒ２を、例えば当初角度ｒ２０よりもさらに角度△ｒ２だけ拡開して、角度ｒ２２にするように連動して回動する。
【０２４１】
これに対し、逆に、基準状態から、撮影方向Ｓとグリップ方向Ｇとの間の角度ｒ１を角度△ｒ１だけ減少させて角度ｒ１０から角度ｒ１２に縮小するように、本体把持部１１の握り部１１Ａに対してカメラ部１２のレンズ部５０を回動調整した場合は、仮にビューファインダ部６０がビューファインダ収納部１２Ｂとともにレンズ部５０と一体となって回動しようとする場合には、撮影方向Ｓと反対向きのファインダ視認方向Ｆは、角度△ｒ１だけグリップ方向Ｇ側から離間するように回動し、ファインダ視認方向Ｆとグリップ方向Ｇとの間の当初角度ｒ２０が角度△ｒ１だけ増加して、ファインダ視認方向Ｆとグリップ方向Ｇとが離間しようとする。
【０２４２】
ところが、本実施の形態のビデオカメラ５０１では、ビューファインダ部収納部１２Ｂ内周面の歯車部１２Ｊ、本体把持部１１に軸承された歯車７４、及びビューファインダ部６０の歯車部６０Ｄによって、ファインダ視認方向Ｆとグリップ方向Ｇとの間の角度ｒ２０が角度△ｒ１だけ増加してファインダ視認方向Ｆとグリップ方向Ｇとが離間するのを防ぐように、本体把持部１１の握り部１１Ａに対してビューファインダ部６０も、ファインダ視認方向Ｆとグリップ方向Ｇとの間の角度ｒ２を、例えば当初角度ｒ２０よりもさらに角度△ｒ２だけ縮小して、角度ｒ２２にするように連動して回動する。
【０２４３】
したがって、本実施の形態のビデオカメラ５０１によれば、図１９及び図２０に例示したように、グリップ方向Ｇと、撮影方向Ｓと、ファインダ視認方向Ｆとを、並行平面内において相互に任意の角度関係に調整することできるので、種々の撮影姿勢に対応させて、グリップ方向Ｇやファインダ視認方向Ｆを、撮影方向Ｓの関係で把持し易い方向に調整することができる。
【０２４４】
そして、その際も、撮影者Ｐが、本体把持部１１の握り部１１Ａを把持してカメラ部１２のレンズ部５０を回動調整して、本体把持部１１の握り部１１Ａを把持し易い状態に設定すれば、ビューファインダ部６０もそのファインダ視認窓１４を撮影者Ｐが視認し易い状態に自動的に回動調整されるので、本体把持部１１の握り部１１Ａを把持して、カメラ部１２のレンズ部５０とビューファインダ部６０とを本体把持部１１に対して個別にそれぞれを回動調整する必要もないから、調整作業も容易である。
【０２４５】
加えて、本実施の形態のビデオカメラ５０１の場合は、ビデオカメラ５０１を使用しないときには、ビューファインダ部６０をビデオカメラ本体１０の視認窓格納孔１２Ｄからビューファインダ部収納部１２Ｂ内に収容し、ファインダ視認窓１４を隠しておくことができるので、ファインダ視認窓１４の汚れや傷つきを防ぐことができる。
【０２４６】
そして、ビューファインダ部６０は、そのファインダ視認窓１４がビューファインダ収納部１２Ｂから離間位置して出現するから、撮影者Ｐがファインダ視認窓１４を覗く際に、当該ビューファインダ部６０を除くビデオカメラ本体１０に顔が当てることなく、覗き易くなる。
【０２４７】
なお、本実施の形態のビデオカメラ５０１に係る、代表的な撮影姿勢を例にしたグリップ方向Ｇと、撮影方向Ｓと、ファインダ視認方向Ｆとの回動調整関係の説明については、図５による第１の実施の形態のビデオカメラ１０１の場合と同じなので、その詳細な説明は省略する。
【０２４８】
以上、本実施の形態のビデオカメラ５０１によっても、グリップ方向Ｇが撮影方向Ｓ及びファインダ視認方向Ｆと交叉するように、ビデオカメラ本体１０が、本体把持部１１と、本体把持部１１の上方に一体的に配置された、レンズ部５０及びビューファインダ部６０を備えたカメラ部１２とから大略構成されているビデオカメラ１０１であって、撮影姿勢等の違いに合わせて、グリップ方向Ｇ、撮影方向Ｓ、ファインダ視認方向Ｆ相互の相対角度を、撮影者Ｐが操作し易いように任意に調整することができる。
【０２４９】
以上、各実施の形態で説明したように本発明のビデオカメラは構成されるが、各実施の形態の各部の具体的な構成、形状等は、各種変形が可能である。
【０２５０】
例えば、ビューファインダ部６０とビューファインダ部収納部１２Ｂとの具体的回動構成、ビューファインダ部６０及びビューファインダ部収納部１２Ｂの本体把持部１１に対する具体的回動構成等は、上述した実施の形態の図面に示した構成、形状に限定されるものではない。
【０２５１】
【発明の効果】
以上のように、本発明によれば、グリップ方向が撮影方向及びファインダ視認方向と交叉するように、ビデオカメラ本体が、本体把持部と、本体把持部の上方に一体的に配置された、レンズ部及びビューファインダ部を備えたカメラ部とから大略構成されているビデオカメラにあって、撮影姿勢等の違いに合わせて、グリップ方向、撮影方向、ファインダ視認方向相互の相対角度を、撮影者が操作し易いように任意に調整することができる。
【図面の簡単な説明】
【図１】第１の実施の形態のシューティング方式のビデオカメラのファインダ視認窓側から視た外観斜視図である。
【図２】第１の実施の形態のビデオカメラから一方の支持枠部を取り除いて表したビデオカメラ本体の側面図である。
【図３】第１の実施の形態のビデオカメラのカメラ部の横断面図である。
【図４】第１の実施の形態のビデオカメラについて、図１に示した状態とは別の状態のファインダ視認窓側から視た状態の外観斜視図である。
【図５】代表的な撮影姿勢を例にした撮影方向Ｓと、グリップ方向Ｇと、ファインダ視認方向Ｆとの回動調整関係の説明図である。
【図６】第２の実施の形態のシューティング方式のビデオカメラのファインダ視認窓側から視た外観斜視図である。
【図７】第２の実施の形態のビデオカメラから一方の支持枠部を取り除いて表したビデオカメラ本体の側面図である。
【図８】第２の実施の形態のビデオカメラのカメラ部のレンズ開口部を出現させた状態の横断面図である。
【図９】第２の実施の形態のビデオカメラについて、図６に示した状態とは別の状態のファインダ視認窓側から視た状態の外観斜視図である。
【図１０】第３の実施の形態のビデオカメラから一方の支持枠部を取り除いて表したビデオカメラ本体の側面図である。
【図１１】第３の実施の形態のビデオカメラのカメラ部の横断面図である。
【図１２】第３の実施の形態のビデオカメラについての各部の回動調整の説明図である。
【図１３】第４の実施の形態のビデオカメラから一方の支持枠部を取り除いて表したビデオカメラ本体の側面図である。
【図１４】第４の実施の形態のビデオカメラのカメラ部の横断面図である。
【図１５】第４の実施の形態のビデオカメラについての各部の回動調整の説明図である。
【図１６】第５の実施の形態のシューティング方式のビデオカメラのファインダ視認窓側から視た外観斜視図である。
【図１７】第５の実施の形態のビデオカメラのファインダ視認窓を出現させた状態のファインダ視認窓側から視た外観斜視図である。
【図１８】第５の実施の形態のビデオカメラの縦断面図である。
【図１９】第５の実施の形態の図１８とは別の方向から視た縦断面図である。
【図２０】第５の実施の形態のビデオカメラの別の回動状態を示した縦断面図である。
【図２１】従来のシューティング方式のビデオカメラの一例の構成図である。
【図２２】図２１に示したビデオカメラの撮影時における撮影者によるグリップ状態の説明図である。
【図２３】代表的な撮影姿勢の説明図である。
【符号の説明】
１０１，２０１，３０１，４０１，５０１，６０１  ビデオカメラ
１０  ビデオカメラ本体
１１  本体把持部
１１Ａ  握り部
１１Ｂ  支持枠部
１１Ｃ  カメラ部収容空間
１１Ｄ  軸孔
１１Ｅ  軸孔
１１Ｆ  ビューファインダ出現孔
１１Ｇ  軸受孔
１２  カメラ部
１２Ａ  レンズ部収納部
１２Ｂ  ビューファインダ部収納部
１２Ｃ  円周端面
１２Ｄ  視認窓移動孔
１２Ｅ  軸孔
１２Ｅ１  軸孔
１２Ｅ２  軸孔
１２Ｆ３  軸受部
１２Ｇ  軸孔
１２Ｈ  軸ガイド孔
１２Ｊ  歯車部
１３  レンズ開口部
１４  ファインダ視認窓
１５  軸部材
１６  抜け止め部材
１７  回動抵抗発生部材
１８  ブッシュ
１９  キー部材
２０  記録媒体収納部
３０  モニタ部
４１  スタート／ストップスイッチ
４２  ズームイン／ズームアウトスイッチ
５０  レンズ部
５１  撮影レンズ
５２  ＣＣＤ撮像素子
６０  ビューファインダ部
６０Ａ  円周面
６０Ｂ  軸孔
６０Ｃ  蓋部
６０Ｄ  歯車部
６０Ｇ  軸孔
６１  小型液晶表示素子
６２  視認レンズ
７１  第１の歯車
７２  第２の歯車
７３  第３の歯車
７４  歯車
Ｓ  撮影方向
Ｇ  グリップ方向
Ｆ  ファインダ視認方向
【図１】
2004221894.tif 000003
【図２】
2004221894.tif 000004
【図３】
2004221894.tif 000005
【図４】
2004221894.tif 000006
【図５】
2004221894.tif 000007
【図６】
2004221894.tif 000008
【図７】
2004221894.tif 000009
【図８】
2004221894.tif 000010
【図９】
2004221894.tif 000011
【図１０】
2004221894.tif 000012
【図１１】
2004221894.tif 000013
【図１２】
2004221894.tif 000014
【図１３】
2004221894.tif 000015
【図１４】
2004221894.tif 000016
【図１５】
2004221894.tif 000017
【図１６】
2004221894.tif 000018
【図１７】
2004221894.tif 000019
【図１８】
2004221894.tif 000020
【図１９】
2004221894.tif 000021
【図２０】
2004221894.tif 000022
【図２１】
2004221894.tif 000023
【図２２】
2004221894.tif 000024
【図２３】
2004221894.tif 000025